(57)【要約】【課題】選択されている地域が夏時間を実施する地域として記憶されているか否かを把握できる電子時計および電子時計の制御方法を提供すること。【解決手段】電子時計は、情報表示部と、複数の地域情報と、前記地域情報に対応する夏時間実施ルールと、を記憶する記憶部と、前記記憶部に記憶された前記複数の地域情報のうちのいずれかを選択する選択部と、前記選択部が選択した地域情報に対応する前記夏時間実施ルールに基づいて、夏時間を実施する地域か否かを判定する判定部と、前記夏時間を実施する地域であると判定された場合、前記夏時間を実施する地域であることを前記情報表示部に表示させる表示制御部と、を備える。【選択図】図７
2018151372.tif 000002
【特許請求の範囲】
【請求項１】
情報表示部と、
複数の地域情報と、前記地域情報に対応する夏時間実施ルールと、を記憶する記憶部と、
前記記憶部に記憶された前記複数の地域情報のうちのいずれかを選択する選択部と、
前記選択部が選択した地域情報に対応する前記夏時間実施ルールに基づいて、夏時間を実施する地域か否かを判定する判定部と、
前記夏時間を実施する地域であると判定された場合、前記夏時間を実施する地域であることを前記情報表示部に表示させる表示制御部と、を備える
ことを特徴とする電子時計。
【請求項２】
請求項１に記載の電子時計において、
衛星信号を受信し、受信信号に基づいて現在地の位置情報を計算して取得する衛星信号受信部を備え、
前記選択部は、前記位置情報に基づいて、前記複数の地域情報から現在地が属する地域情報を選択する
ことを特徴とする電子時計。
【請求項３】
請求項１または請求項２に記載の電子時計において、
手動操作部を備え、
前記選択部は、前記手動操作部の操作に応じて、前記複数の地域情報のうちのいずれかを選択する
ことを特徴とする電子時計。
【請求項４】
請求項１から請求項３のいずれか１項に記載の電子時計において、
夏時間を実施中か否かを示す実施状態情報を含む電波を受信する電波受信部と、
前記実施状態情報に基づいて、夏時間を実施中か否かを判定する実施判定部と、を備え、
前記表示制御部は、
夏時間を実施中であると判定された場合、夏時間を実施中であることを前記情報表示部に表示させる
ことを特徴とする電子時計。
【請求項５】
請求項１から請求項３のいずれか１項に記載の電子時計において、
前記夏時間実施ルールは、夏時間の実施期間を示す実施期間情報を含み、
前記選択部が選択した地域情報に対応する前記実施期間情報に基づいて、夏時間を実施中であるか否かを判定する実施判定部を備え、
前記表示制御部は、
夏時間を実施中であると判定された場合、夏時間を実施中であることを前記情報表示部に表示させる
ことを特徴とする電子時計。
【請求項６】
請求項１から請求項５のいずれか１項に記載の電子時計において、
前記表示制御部によって制御され、時刻情報を表示する時刻表示部と、
前記時刻情報を修正する時刻修正部と、
夏時間を実施中であるか否かを判定する実施判定部と、を備え、
前記夏時間実施ルールは、前記地域情報に対応して、標準時と夏時間との時間差に関する夏時間設定情報を含み、
前記時刻修正部は、夏時間を実施中であると判定された場合、前記夏時間設定情報に基づいて、前記時刻情報を修正する
ことを特徴とする電子時計。
【請求項７】
請求項６に記載の電子時計において、
手動操作部と、
前記手動操作部の操作に応じて、夏時間自動表示モード、夏時間非表示モードのいずれかを設定するモード設定部と、を備え、
前記時刻修正部は、
前記夏時間自動表示モードが設定され且つ前記実施判定部により夏時間を実施中であると判定された場合、前記夏時間設定情報に基づいて前記時刻情報を修正して夏時間を表示させ、
前記夏時間自動表示モードが設定され且つ前記実施判定部により夏時間を実施中ではないと判定された場合、または、前記夏時間非表示モードが設定された場合、夏時間を表示させない
ことを特徴とする電子時計。
【請求項８】
情報表示部と、
時刻情報を表示する時刻表示部と、
前記時刻情報を修正する時刻修正部と、
表示制御部と、
手動操作部と、
複数の地域情報と、前記地域情報に対応し且つ夏時間の実施期間を示す実施期間情報と前記地域情報に対応し且つ標準時との時間差を示す夏時間設定情報とを含む夏時間実施ルールと、を記憶する記憶部と、
前記記憶部に記憶された前記複数の地域情報のうちのいずれかを選択する選択部と、
前記選択部が選択した地域情報に対応する前記夏時間実施ルールに基づいて、夏時間を実施する地域か否かを判定する判定部と、
前記実施期間情報に基づいて夏時間を実施中か否かを判定する実施判定部と、
前記手動操作部の操作に応じて、夏時間自動表示モード、夏時間表示モード、夏時間非表示モードのいずれかを設定するモード設定部と、を備え、
前記表示制御部は、
前記夏時間自動表示モードが設定され且つ前記判定部により前記夏時間を実施する地域であると判定された場合、前記夏時間を実施する地域であることを前記情報表示部に表示させ、
前記時刻修正部は、
前記夏時間自動表示モードが設定され且つ夏時間の実施中であると判定された場合、または、前記夏時間表示モードが設定された場合、前記夏時間設定情報に基づいて、前記時刻情報を修正して夏時間を表示させ、
前記夏時間自動表示モードが設定され且つ夏時間の実施中ではないと判定された場合、または、前記夏時間非表示モードが設定された場合、夏時間を表示させない
ことを特徴とする電子時計。
【請求項９】
請求項８に記載の電子時計において、
前記表示制御部は、
前記夏時間表示モードが設定された場合、前記夏時間表示モードが設定されていることを前記情報表示部に表示させ、
前記夏時間非表示モードが設定された場合、前記夏時間非表示モードが設定されていることを前記情報表示部に表示させる
ことを特徴とする電子時計。
【請求項１０】
情報表示部と、
時刻情報を表示する時刻表示部と、
前記時刻情報を修正する時刻修正部と、
表示制御部と、
手動操作部と、
複数の地域情報と、前記地域情報に対応し且つ夏時間の実施期間を示す実施期間情報と前記地域情報に対応し且つ標準時との時間差を示す夏時間設定情報とを含む夏時間実施ルールと、を記憶する記憶部と、
前記記憶部に記憶された前記複数の地域情報のうちのいずれかを選択する選択部と、
前記選択部が選択した地域情報に対応する前記夏時間実施ルールに基づいて、夏時間を実施する地域か否かを判定する判定部と、
前記実施期間情報に基づいて夏時間を実施中か否かを判定する実施判定部と、
前記手動操作部の操作に応じて、夏時間表示モード、夏時間非表示モードのいずれかを設定するモード設定部と、を備え、
前記表示制御部は、
前記夏時間表示モードが設定された場合、前記夏時間表示モードが設定されていることを前記情報表示部に表示させ、
前記夏時間非表示モードが設定された場合、前記夏時間非表示モードが設定されていることを前記情報表示部に表示させ、
前記時刻修正部は、
前記夏時間表示モードが設定された場合、前記選択部で選択された地域情報に対応する夏時間設定情報に基づいて、前記時刻情報を修正して夏時間を表示させ、
前記夏時間非表示モードが設定された場合、標準時を表示させる
ことを特徴とする電子時計。
【請求項１１】
請求項１０に記載の電子時計において、
衛星信号を受信し、受信信号に基づいて現在地の位置情報を計算して取得する衛星信号受信部を備え、
前記選択部は、前記位置情報に基づいて、前記複数の地域情報から現在地が属する地域情報を選択し、
前記モード設定部は、
前記位置情報に基づいて選択された地域情報によって夏時間を実施する地域であると前記判定部が判定した場合、夏時間自動表示モードを設定し、
前記位置情報に基づいて選択された地域情報によって夏時間を実施しない地域であると前記判定部が判定した場合、前記夏時間非表示モードを設定し、
前記表示制御部は、
前記夏時間自動表示モードが設定され且つ前記判定部により前記夏時間を実施する地域であると判定された場合、前記夏時間を実施する地域であることを前記情報表示部に表示させ、
前記時刻修正部は、
前記夏時間自動表示モードが設定され且つ夏時間の実施中であると判定された場合、前記夏時間設定情報に基づいて、前記時刻情報を修正して夏時間を表示させ、
前記夏時間自動表示モードが設定され且つ夏時間の実施中ではないと判定された場合、標準時を表示させる
ことを特徴とする電子時計。
【請求項１２】
請求項１から請求項１１のいずれか１項に記載の電子時計において、
前記情報表示部は、指針および文字板で構成されている
ことを特徴とする電子時計。
【請求項１３】
情報表示部と、複数の地域情報と、前記地域情報に対応する夏時間実施ルールとを記憶する記憶部とを備える電子時計の制御方法であって、
前記記憶部に記憶された前記複数の地域情報のうちのいずれかを選択するステップと、
前記選択した地域情報に対応する前記夏時間実施ルールに基づいて、夏時間を実施する地域か否かを判定するステップと、
前記夏時間を実施する地域であると判定した場合、前記夏時間を実施する地域であることを前記情報表示部に表示させるステップと、を備える
ことを特徴とする電子時計の制御方法。
【発明の詳細な説明】
【技術分野】
【０００１】
本発明は、電子時計および電子時計の制御方法に関する。
【背景技術】
【０００２】
従来、地域に対応付けて夏時間の実施情報を記憶し、例えばりゅうずが操作されることで地域が選択された場合に、選択された地域が夏時間の実施中であれば、夏時間を表示する電子時計が存在する（例えば、特許文献１参照）。
特許文献１のアナログ電子時計では、選択されている地域に対応する夏時間実施情報にしたがって自動的に夏時間の表示を行わせる表示設定ＤＳＴ（ＡＵＴＯ）、当該夏時間実施情報にかかわらず夏時間の表示を行わせない表示設定ＳＴＤ、および当該夏時間実施情報にかかわらず設定されたシフト時間だけ時刻をずらして表示させる表示設定ＤＳＴのいずれかのモードを選択できる。そして、選択されたモードの種類がモード針によって指示される。
【先行技術文献】
【特許文献】
【０００３】
【特許文献１】特開２０１６−１３３３３７号公報
【発明の概要】
【発明が解決しようとする課題】
【０００４】
ところで、夏時間の実施状況は変更されることがある。すなわち、夏時間を実施していなかった地域において、夏時間を実施するようになったり、夏時間を実施していた地域に対して、夏時間を実施しないようになったりすることがある。
このため、例えば、電子時計が記憶する夏時間の実施ルールが最新版ではない場合、夏時間を実施する地域なのに夏時間を表示しなかったり、夏時間を実施しない地域なのに夏時間を表示したりする場合がある。このため、ユーザーは、電子時計が記憶している夏時間の実施ルールにおいて、選択されている地域が夏時間を実施する地域として記憶されているか否かを確認したいと考える場合がある。
しかしながら、特許文献１のアナログ電子時計では、表示設定ＤＳＴ（ＡＵＴＯ）が選択されている場合、選択されている地域に対して、夏時間実施情報が記憶されている場合も記憶されていない場合も、モード針がＤＳＴ（ＡＵＴＯ）を表示するため、ユーザーは、選択されている地域が夏時間を実施する地域として記憶されているか否かを把握できない。
【０００５】
本発明の目的は、選択されている地域が夏時間を実施する地域として記憶されているか否かを把握できる電子時計および電子時計の制御方法を提供することにある。
【課題を解決するための手段】
【０００６】
本発明の電子時計は、情報表示部と、複数の地域情報と、前記地域情報に対応する夏時間実施ルールと、を記憶する記憶部と、前記記憶部に記憶された前記複数の地域情報のうちのいずれかを選択する選択部と、前記選択部が選択した地域情報に対応する前記夏時間実施ルールに基づいて、夏時間を実施する地域か否かを判定する判定部と、前記夏時間を実施する地域であると判定された場合、前記夏時間を実施する地域であることを前記情報表示部に表示させる表示制御部と、を備えることを特徴とする。
【０００７】
本発明によれば、ユーザーは、電子時計が、選択されている地域において、夏時間を実施する地域であることを示す夏時間実施ルールを記憶しているか否かを把握できる。
このため、ユーザーは、夏時間が実施される地域が選択されているにもかかわらず夏時間を実施する地域であることが表示されない場合、または、夏時間が実施されない地域が選択されているにもかかわらず夏時間を実施する地域であることが表示された場合、選択された地域に対して記憶部に記憶されている夏時間実施ルールが正確ではないことが分かる。したがって、ユーザーは、夏時間が実施される地域が選択されているにもかかわらず夏時間を実施する地域であることが表示されない場合は、例えば、夏時間の実施期間に、手動で時刻を修正するなどの対応をとることができる。また、夏時間が実施されない地域が選択されているにもかかわらず夏時間を実施する地域であることが表示された場合は、例えば、電子時計を操作して夏時間を表示しないように設定するなどの対応をとることができる。
【０００８】
本発明の電子時計において、衛星信号を受信し、受信信号に基づいて現在地の位置情報を計算して取得する衛星信号受信部を備え、前記選択部は、前記位置情報に基づいて、前記複数の地域情報から現在地が属する地域情報を選択することが好ましい。
【０００９】
本発明によれば、ユーザーは、例えば、電子時計のボタンを押して衛星信号を受信させることで現在地の地域情報を選択できるため、電子時計のボタンやりゅうずを現在地の地域情報が選択されるまで操作して選択する場合と比べて、現在地の地域情報を容易に選択できる。
【００１０】
本発明の電子時計において、手動操作部を備え、前記選択部は、前記手動操作部の操作に応じて、前記複数の地域情報のうちのいずれかを選択することが好ましい。
【００１１】
本発明によれば、ユーザーは、手動操作部を操作することで、現在地とは異なる地域の地域情報も選択できる。このため、例えば、日本から海外の地域に移動する際、当該地域が夏時間を実施する地域であることを示す夏時間実施ルールを電子時計が記憶しているか否かを事前に把握できる。
【００１２】
本発明の電子時計において、夏時間を実施中か否かを示す実施状態情報を含む電波を受信する電波受信部と、前記実施状態情報に基づいて、夏時間を実施中か否かを判定する実施判定部と、を備え、前記表示制御部は、夏時間を実施中であると判定された場合、夏時間を実施中であることを前記情報表示部に表示させることが好ましい。
【００１３】
本発明によれば、ユーザーは、夏時間を実施中か否かを把握できる。
また、本発明によれば、実施状態情報に基づいて夏時間を実施中か否かを判定できるため、例えば、現在時刻が夏時間の実施期間に該当するか否かを判定する必要がない。このため、夏時間を実施中か否かの判定を容易にできる。
【００１４】
本発明の電子時計において、前記夏時間実施ルールは、夏時間の実施期間を示す実施期間情報を含み、前記選択部が選択した地域情報に対応する前記実施期間情報に基づいて、夏時間を実施中であるか否かを判定する実施判定部を備え、前記表示制御部は、夏時間を実施中であると判定された場合、夏時間を実施中であることを前記情報表示部に表示させることが好ましい。
【００１５】
本発明によれば、ユーザーは、夏時間を実施中か否かを把握できる。
また、本発明によれば、実施期間情報に基づいて夏時間を実施中か否かを判定できるため、例えば、夏時間の実施中か否かを示す情報を含む電波を受信する電波受信部が必要ない。
【００１６】
本発明の電子時計において、前記表示制御部によって制御され、時刻情報を表示する時刻表示部と、前記時刻情報を修正する時刻修正部と、夏時間を実施中であるか否かを判定する実施判定部と、を備え、前記夏時間実施ルールは、前記地域情報に対応して、標準時と夏時間との時間差に関する夏時間設定情報を含み、前記時刻修正部は、夏時間を実施中であると判定された場合、前記夏時間設定情報に基づいて、前記時刻情報を修正することが好ましい。
【００１７】
本発明によれば、選択された地域において、夏時間の実施期間が始まった場合は、ユーザーが夏時間を表示させるための操作を行うことなく、夏時間を表示させることができる。また、夏時間の実施期間が終了した場合は、ユーザーが標準時を表示させるための操作を行うことなく、標準時を表示させることができる。
【００１８】
本発明の電子時計において、手動操作部と、前記手動操作部の操作に応じて、夏時間自動表示モード、夏時間非表示モードのいずれかを設定するモード設定部と、を備え、前記時刻修正部は、前記夏時間自動表示モードが設定され且つ前記実施判定部により夏時間を実施中であると判定された場合、前記夏時間設定情報に基づいて前記時刻情報を修正して夏時間を表示させ、前記夏時間自動表示モードが設定され且つ前記実施判定部により夏時間を実施中ではないと判定された場合、または、前記夏時間非表示モードが設定された場合、夏時間を表示させないことが好ましい。
【００１９】
本発明によれば、ユーザーは、夏時間が実施されない地域が選択されているにもかかわらず夏時間を実施する地域であることが表示された場合は、手動操作部を操作して、夏時間非表示モードを設定させることで、夏時間を表示させないようにできる。
【００２０】
本発明の電子時計は、情報表示部と、時刻情報を表示する時刻表示部と、前記時刻情報を修正する時刻修正部と、表示制御部と、手動操作部と、複数の地域情報と、前記地域情報に対応し且つ夏時間の実施期間を示す実施期間情報と前記地域情報に対応し且つ標準時との時間差を示す夏時間設定情報とを含む夏時間実施ルールと、を記憶する記憶部と、前記記憶部に記憶された前記複数の地域情報のうちのいずれかを選択する選択部と、前記選択部が選択した地域情報に対応する前記夏時間実施ルールに基づいて、夏時間を実施する地域か否かを判定する判定部と、前記実施期間情報に基づいて夏時間を実施中か否かを判定する実施判定部と、前記手動操作部の操作に応じて、夏時間自動表示モード、夏時間表示モード、夏時間非表示モードのいずれかを設定するモード設定部と、を備え、前記表示制御部は、前記夏時間自動表示モードが設定され且つ前記判定部により前記夏時間を実施する地域であると判定された場合、前記夏時間を実施する地域であることを前記情報表示部に表示させ、前記時刻修正部は、前記夏時間自動表示モードが設定され且つ夏時間の実施中であると判定された場合、または、前記夏時間表示モードが設定された場合、前記夏時間設定情報に基づいて、前記時刻情報を修正して夏時間を表示させ、前記夏時間自動表示モードが設定され且つ夏時間の実施中ではないと判定された場合、または、前記夏時間非表示モードが設定された場合、夏時間を表示させないことを特徴とする。
【００２１】
本発明によれば、ユーザーは、夏時間自動表示モードが設定されている場合、電子時計が、選択されている地域において、夏時間を実施する地域であることを示す夏時間実施ルールを記憶しているか否かを把握できる。
そして、例えば、ユーザーは、夏時間が実施される地域が選択されているにもかかわらず夏時間を実施する地域であることが表示されない場合、夏時間の実施期間に、手動操作部を操作して、夏時間表示モードを設定させることで、夏時間を表示させることができる。
また、ユーザーは、夏時間が実施されない地域が選択されているにもかかわらず夏時間を実施する地域であることが表示された場合は、手動操作部を操作して、夏時間非表示モードを設定させることで、夏時間を表示させないようにできる。
また、夏時間自動表示モードが設定されている場合、選択された地域において、夏時間の実施期間が始まった場合は、ユーザーが夏時間を表示させるための操作を行うことなく、夏時間を表示させることができる。また、夏時間の実施期間が終了した場合は、ユーザーが標準時を表示させるための操作を行うことなく、標準時を表示させることができる。
【００２２】
本発明の電子時計において、前記表示制御部は、前記夏時間表示モードが設定された場合、前記夏時間表示モードが設定されていることを前記情報表示部に表示させ、前記夏時間非表示モードが設定された場合、前記夏時間非表示モードが設定されていることを前記情報表示部に表示させることが好ましい。
【００２３】
本発明によれば、ユーザーは、夏時間表示モードおよび夏時間非表示モードが設定されていることを把握できるため、表示モードの選択を容易に行うことができる。
【００２４】
本発明の電子時計は、情報表示部と、時刻情報を表示する時刻表示部と、前記時刻情報を修正する時刻修正部と、表示制御部と、手動操作部と、複数の地域情報と、前記地域情報に対応し且つ夏時間の実施期間を示す実施期間情報と前記地域情報に対応し且つ標準時との時間差を示す夏時間設定情報とを含む夏時間実施ルールと、を記憶する記憶部と、前記記憶部に記憶された前記複数の地域情報のうちのいずれかを選択する選択部と、前記選択部が選択した地域情報に対応する前記夏時間実施ルールに基づいて、夏時間を実施する地域か否かを判定する判定部と、前記実施期間情報に基づいて夏時間を実施中か否かを判定する実施判定部と、前記手動操作部の操作に応じて、夏時間表示モード、夏時間非表示モードのいずれかを設定するモード設定部と、を備え、前記表示制御部は、前記夏時間表示モードが設定された場合、前記夏時間表示モードが設定されていることを前記情報表示部に表示させ、前記夏時間非表示モードが設定された場合、前記夏時間非表示モードが設定されていることを前記情報表示部に表示させ、前記時刻修正部は、前記夏時間表示モードが設定された場合、前記選択部で選択された地域情報に対応する夏時間設定情報に基づいて、前記時刻情報を修正して夏時間を表示させ、前記夏時間非表示モードが設定された場合、標準時を表示させることを特徴とする。
【００２５】
本発明によれば、ユーザーは、手動操作部を操作して、夏時間表示モードあるいは夏時間非表示モードを設定できるので、夏時間の表示、非表示をユーザーが容易に設定できる。このため、夏時間表示ルールが変更された地域においても、手動操作によって変更後のルールに合わせた時刻（その地域の標準時または夏時間）を表示することができ、利便性を向上できる。
【００２６】
本発明の電子時計において、衛星信号を受信し、受信信号に基づいて現在地の位置情報を計算して取得する衛星信号受信部を備え、前記選択部は、前記位置情報に基づいて、前記複数の地域情報から現在地が属する地域情報を選択し、前記モード設定部は、前記位置情報に基づいて選択された地域情報によって夏時間を実施する地域であると前記判定部が判定した場合、夏時間自動表示モードを設定し、前記位置情報に基づいて選択された地域情報によって夏時間を実施しない地域であると前記判定部が判定した場合、前記夏時間非表示モードを設定し、前記表示制御部は、前記夏時間自動表示モードが設定され且つ前記判定部により前記夏時間を実施する地域であると判定された場合、前記夏時間を実施する地域であることを前記情報表示部に表示させ、前記時刻修正部は、前記夏時間自動表示モードが設定され且つ夏時間の実施中であると判定された場合、前記夏時間設定情報に基づいて、前記時刻情報を修正して夏時間を表示させ、前記夏時間自動表示モードが設定され且つ夏時間の実施中ではないと判定された場合、標準時を表示させることが好ましい。
【００２７】
本発明によれば、手動操作部の操作による夏時間表示モードあるいは夏時間非表示モードの選択に加えて、現在地の位置情報を取得する測位受信処理を実行することで、夏時間自動表示モードあるいは夏時間非表示モードを自動的に設定できる。このため、ユーザーは、旅行先等で測位受信処理を行うことで、その地域の夏時間実施ルールに応じた時刻を自動的に表示できる。また、夏時間実施ルールが変更された直後などで、自動的に表示された時刻が、現在地の時刻と異なる場合は、手動操作部の操作で夏時間表示モードあるいは夏時間非表示モードを選択することで表示時刻を標準時または夏時間に容易に変更でき、利便性を向上できる。
【００２８】
本発明の電子時計において、前記情報表示部は、指針および文字板で構成されていることが好ましい。
本発明によれば、アナログ電子時計においても、夏時間を実施する地域であるか否かを表示させることができる。
【００２９】
本発明は、情報表示部と、複数の地域情報と、前記地域情報に対応する夏時間実施ルールとを記憶する記憶部とを備える電子時計の制御方法であって、前記記憶部に記憶された前記複数の地域情報のうちのいずれかを選択するステップと、前記選択した地域情報に対応する前記夏時間実施ルールに基づいて、夏時間を実施する地域か否かを判定するステップと、前記夏時間を実施する地域であると判定した場合、前記夏時間を実施する地域であることを前記情報表示部に表示させるステップと、を備えることを特徴とする。
【００３０】
本発明によれば、ユーザーは、選択されている地域が夏時間を実施する地域であることを示す夏時間実施ルールを電子時計が記憶しているか否かを把握できる。
【図面の簡単な説明】
【００３１】
【図１】本発明に係る第１実施形態の電子時計の正面図。
【図２】第１実施形態の電子時計の概略を示す断面図。
【図３】第１実施形態の電子時計の回路構成を示す図。
【図４】第１実施形態のＲＡＭのデータ構成を示す図。
【図５】第１実施形態のローカルタイム設定データの一例を示す図。
【図６】第１実施形態の夏時間参照データの一例を示す図。
【図７】第１実施形態の制御回路の構成を示す図。
【図８】第１実施形態のローカルタイム設定処理を示すフローチャート。
【図９】第１実施形態のローカルタイム設定処理を示すフローチャート。
【図１０】第１実施形態の夏時間切替処理を示すフローチャート。
【図１１】本発明に係る第２実施形態の電子時計の正面図。
【図１２】第２実施形態の電子時計の概略を示す断面図。
【図１３】第２実施形態の電子時計の回路構成を示す図。
【図１４】第２実施形態の記憶装置のデータ構成を示す図。
【図１５】第２実施形態のローカルタイム受信設定データを示す図。
【図１６】ローカルタイム受信設定データを説明するための図。
【図１７】第２実施形態の制御回路の構成を示す図。
【図１８】第２実施形態のローカルタイム受信設定処理を示すフローチャート。
【図１９】第２実施形態のローカルタイム受信設定処理を示すフローチャート。
【図２０】夏時間の実施状況の変更履歴を示す図。
【図２１】本発明に係る第３実施形態の制御回路の構成を示す図。
【図２２】第３実施形態の表示モード切替処理を示すフローチャート。
【図２３】本発明に係る第４実施形態の夏時間参照データの一例を示す図。
【図２４】第４実施形態の電子時計の表示機構を示す図。
【図２５】第４実施形態の表示モード切替処理を示すフローチャート。
【図２６】本発明に係る第５実施形態の電子時計の正面図。
【図２７】第５実施形態の電子時計の回路構成を示す図。
【図２８】第５実施形態の標準電波受信処理を示すフローチャート。
【図２９】本発明に係る第６実施形態の電子時計の正面図。
【図３０】第６実施形態の制御回路の構成を示す図。
【図３１】第６実施形態の受信処理を示すフローチャート。
【図３２】第６実施形態の受信処理を示すフローチャート。
【図３３】第６実施形態の表示モード切替処理を示すフローチャート。
【図３４】本発明に係る他の実施形態の電子時計の表示機構を示す図。
【図３５】他の実施形態の夏時間切替処理を示すフローチャート。
【図３６】他の実施形態の電子時計の表示機構を示す図。
【図３７】他の実施形態の電子時計の表示機構を示す図。
【発明を実施するための形態】
【００３２】
［第１実施形態］
図１は、電子時計１の正面図であり、図２は、電子時計１の概略を示す断面図である。
電子時計１は、図１、図２に示すように、外装ケース３０と、カバーガラス３３と、裏蓋３４とを備えている。
外装ケース３０は、円筒状であり、金属で形成されている。図２に示すように、外装ケース３０の二つの開口のうち、表面側の開口は、カバーガラス３３で塞がれており、裏面側の開口は金属で形成された裏蓋３４で塞がれている。
外装ケース３０の側面には、Ａボタン４１と、Ｂボタン４２と、りゅうず４３とが設けられている。
【００３３】
外装ケース３０の内側には、ダイヤルリング３５と、文字板１１と、指針２１，２２，２３，２４と、カレンダー車２５と、各指針およびカレンダー車２５を駆動する駆動機構１４０などが備えられている。
【００３４】
ダイヤルリング３５は、リング状に形成されている。
文字板１１は、外装ケース３０の内側で時刻を表示する円形の板材であり、カバーガラス３３との間に各指針２１〜２４を備え、ダイヤルリング３５の内側に配置されている。
文字板１１には、指針２１，２２，２３の指針軸２９と、指針２４の図示しない指針軸とが貫通する穴が形成されている。また、文字板１１には、カレンダー小窓１５の開口部が形成されている。
【００３５】
駆動機構１４０は、地板１２５に取り付けられ、回路基板１２０で裏蓋側から覆われている。駆動機構１４０は、ステップモーターと歯車などの輪列とを有し、当該ステップモーターが当該輪列を介して指針軸を回転させることにより各指針２１〜２４およびカレンダー車２５を駆動する。
駆動機構１４０は、具体的には、第１〜第４駆動機構を備える。第１駆動機構は指針２２および指針２３を駆動し、第２駆動機構は指針２１を駆動し、第３駆動機構は指針２４を駆動し、第４駆動機構はカレンダー車２５を駆動する。
【００３６】
回路基板１２０は、表面側に制御装置１００を備えている。回路基板１２０の裏蓋側には、回路基板１２０を覆うための回路押さえ１２２が設けられている。また、電池１３０が、地板１２５と裏蓋３４との間に設けられている。
【００３７】
［電子時計の表示機構］
指針２１，２２，２３は、文字板１１の平面中心に、文字板１１の表裏方向に沿って設けられた指針軸２９に取り付けられている。なお、指針軸２９は、各指針２１，２２，２３が取り付けられる３つの指針軸で構成されている。
文字板１１の外周部を囲むダイヤルリング３５の内周側には、図１に示すように、内周を６０分割にする目盛が表記されている。この目盛を用いて、指針２１は時刻の「秒」を表示し、指針２２は時刻の「分」を表示し、指針２３は時刻の「時」を表示する。すなわち、指針２１は秒針であり、指針２２は分針であり、指針２３は時針であり、指針２１〜２３および文字板１１は、時刻情報を表示する時刻表示部を構成する。なお、指針２１〜２３が表示する時刻は、りゅうず４３を２段引いた状態で回転させることで変更できる。
【００３８】
指針２４は、文字板１１の平面中心から６時方向の位置に設けられている指針軸に取り付けられている。
指針２４の回転領域の外周には、「ＤＢ」の英字と「ＯＦＦ」の英字とが表記されている。ＤＢおよびＯＦＦは、夏時間（サマータイム）に関する情報であり、ＤＢおよびＯＦＦの英字の内側には、夏時間を意味する「ＤＳＴ」（daylight saving time）の英字が表記されている。
指針２４は、詳しくは後述するが、ＤＢを指示することで、選択された地域情報に対応付けられた夏時間実施ルールにおいて、当該地域が夏時間を実施する地域として記憶装置５４に記憶されていることを表示する。また、ＯＦＦを指示することで、当該夏時間実施ルールにおいて当該地域が夏時間を実施する地域として記憶装置５４に記憶されていないこと（または、当該地域が夏時間を実施しない地域として記憶装置５４に記憶されていること）を表示する。
【００３９】
また、指針２４の回転領域の外周には、七曜を示す英単語の頭文字である「Ｓ（Ｓｕｎｄａｙ）」、「Ｍ（Ｍｏｎｄａｙ）」、「Ｔ（Ｔｕｅｓｄａｙ）」、「Ｗ（Ｗｅｄｎｅｓｄａｙ）」、「Ｔ（Ｔｈｕｒｓｄａｙ）」、「Ｆ（Ｆｒｉｄａｙ）」、「Ｓ（Ｓａｔｕｒｄａｙ）」の文字が表記される。指針２４は、これらの文字のいずれかを指示することで曜日を表示する。
また、指針２４の回転領域の外周には、円周に沿って三日月鎌状の記号１２が表記されている。この記号１２は電池１３０のパワーインジケーターであり、電池容量に応じた位置を指針２４が指示することで電池容量が表示される。
すなわち、指針２４は、各種情報を表示するモード針であり、指針２４および文字板１１は、情報表示部を構成する。
【００４０】
なお、りゅうず４３が０段位置にある通常状態において、指針２４は、夏時間に関する情報（ＤＢまたはＯＦＦ）、曜日、電池容量のいずれかを表示する。指針２４が表示する情報は、Ｂボタン４２を押すことで切り替えることができる。
【００４１】
カレンダー小窓１５は、文字板１１を矩形状に開口した開口部に設けられており、開口部からカレンダー車２５に印刷された数字が視認可能となっている。カレンダー車２５は、開口部から数字を視認させることで、年月日の「日」を表示する。なお、カレンダー車２５が表示する日は、りゅうず４３を２段引いた状態で回転させることで変更できる。日を変更するか、指針２１〜２３が表示する時刻を変更するかは、Ａボタン４１を押すことで選択できる。
【００４２】
ダイヤルリング３５には、内周側の目盛に沿って、協定世界時（ＵＴＣ）との時差を表す数字や数字以外の記号３７が表記されている。
また、ダイヤルリング３５の周囲に設けられている外装ケース３０には、ダイヤルリング３５に表記されている数字や数字以外の記号３７に対応した標準時を使用している代表都市名を表す都市情報３６が、記号３７に併記されている。
指針２１は、記号３７や都市情報３６を指示することで、現在設定されている時差や選択中の時差を表示する。
【００４３】
［電子時計の回路構成］
図３は、電子時計１の回路構成を示す図である。
電子時計１は、ＣＰＵ（中央処理装置：Central Processing Unit）で構成される制御装置１００と、制御装置１００に接続された電池１３０と、手動操作部４０と、駆動機構１４０とを備えている。
【００４４】
手動操作部４０は、Ａボタン４１、Ｂボタン４２、りゅうず４３と、図示しないスイッチ回路とを備えて構成され、各ボタン４１，４２の押し離しや、りゅうず４３の引き出し、押し込み、回転に応じた操作信号を制御装置１００の後述する制御回路６０に出力する。
【００４５】
制御装置１００は、電池電圧検出回路５１と、ＲＯＭ（Read Only Memory）５２と、ＲＡＭ（Random Access Memory）５３と、書き換え可能な記憶装置５４と、制御回路６０とを備える。
また、制御装置１００は、回路基板１２０の裏蓋側に設けられた２つの入力端子１０１，１０２と接続されている。入力端子１０１，１０２には、電子時計１の裏蓋３４を開けた状態で、外部装置の出力端子を接触させることができ、この出力端子から入力端子１０１，１０２にデータを供給することで、記憶装置５４のデータを書き換えることができる。
【００４６】
電池電圧検出回路５１は、電池１３０の電池電圧を、例えば５〜１０秒間隔で検出し、検出値を制御回路６０に出力する。
ＲＯＭ５２には、制御回路６０で実行されるプログラムや、プログラムの実行時に用いられるデータが記憶されている。
【００４７】
ＲＡＭ５３には、図４に示すように、内部時刻データ５３１と、表示用時刻データ５３２と、時差データ５３３と、夏時間オフセットデータ５３４とが記憶される。
内部時刻データ５３１には、ＵＴＣを示す内部時刻が記憶される。この内部時刻は、制御回路６０の後述する計時部６１によって更新される。
表示用時刻データ５３２には、内部時刻データ５３１の内部時刻に、時差データ５３３の時差と、夏時間オフセットデータ５３４の夏時間設定情報とを加算した表示用時刻が記憶される。ここで、表示用時刻は、指針２１，２２，２３によって表示される時刻情報である。
なお、時差データ５３３および夏時間オフセットデータ５３４の設定手順については後述する。
【００４８】
図３に戻り、記憶部としての記憶装置５４は、書き換え可能な不揮発性メモリーによって構成されている。このような不揮発性メモリーとしては、EEPROM（Electronically Erasable and Programmable Read Only Memory）やフラッシュメモリーなどを例示できる。なお、記憶装置５４は、制御装置１００に外付けされていてもよい。
記憶装置５４には、ローカルタイム設定データ５４１および夏時間参照データ５４２が記憶されている。
【００４９】
図５は、ローカルタイム設定データ５４１の一例を示す図である。
ローカルタイム設定データ５４１には、インデックスが付けられた時差（タイムゾーン）と、代表都市名を表す表示文字と、代表都市名と、針位置と、ＤＳＴ番号とが対応付けられて記憶されている。
インデックスは、通し番号であり、０以上の整数で示される。
時差は、ＵＴＣとの時差を示す。例えば、「０」は、ＵＴＣとの時差が０時間であることを示し、「＋１」は、ＵＴＣとの時差が＋１時間であることを示し、「−１」は、ＵＴＣとの時差が−１時間であることを示す。図５に示すローカルタイム設定データ５４１では、−１２時間から＋１４時間まで、４０個の時差が記憶されている。本実施形態では、時差が、地域情報に相当する。
代表都市名は、対応する時差の地域における代表都市の名前である。
針位置は、秒針である指針２１の指示位置（秒位置）を示す。例えば、「０」は、０秒位置を示し、「２」は、２秒位置を示す。
ＤＳＴ番号は、夏時間参照データ５４２に記憶された後述する「０」〜「１０」のＤＳＴ番号のうち、対応する番号を示す。
【００５０】
図６は、夏時間参照データ５４２の一例を示す図である。
夏時間参照データ５４２には、ＤＳＴ番号と、夏時間の実施期間を示す実施期間情報と、夏時間設定情報（ＤＳＴオフセット）とが含まれる。
夏時間設定情報は、標準時との時間差の情報であり、標準時に対して進める時間である。
夏時間参照データ５４２には、夏時間を実施する地域であることを示す情報として、１以上の整数であるＤＳＴ番号と、夏時間の実施期間情報、夏時間設定情報とが記憶されている。
また、夏時間参照データ５４２には、夏時間を実施しない地域であることを示す情報として、ＤＳＴ番号「０」が記憶され、ＤＳＴ番号「０」の場合、実施期間情報と夏時間設定情報とは記憶されない。または、ＤＳＴ番号「０」の場合、実施期間情報に「夏時間を実施しない」ことを記憶する。
本実施形態において、ローカルタイム設定データ５４１に含まれるＤＳＴ番号と夏時間参照データ５４２とが夏時間実施ルールの一例である。
【００５１】
図７に示すように、制御回路６０は、ＲＯＭ５２に格納された各種プログラムを実行することで、計時部６１、時刻修正部６２、表示制御部６３、選択部６４、判定部６５、実施判定部６６として機能する。
計時部６１は、電子時計１が備える図示しない水晶振動子の発振信号に基づく基準信号を用いて、ＲＡＭ５３に記憶された内部時刻データ５３１を更新することで、内部時刻を計時する。
時刻修正部６２は、表示用時刻データ５３２の表示用時刻の修正を行う。
表示制御部６３は、駆動機構１４０を制御することで指針２１〜２３の移動を制御して表示用時刻を表示させ、指針２４の移動を制御して各種情報を表示させる。
選択部６４は、手動操作部４０の操作に応じて、地域情報としての時差を選択する。
判定部６５は、選択部６４が選択した時差（地域情報）に対応する夏時間実施ルールにおいて、夏時間を実施する地域であることを示す情報が記憶されているか否かを判定する。
実施判定部６６は、実施期間情報に基づいて、夏時間を実施中であるか否かを判定する。
なお、制御回路６０の各機能部の詳細については、次のローカルタイム設定処理の説明で述べる。
【００５２】
［ローカルタイム設定処理］
図８、図９は、電子時計１が実行するローカルタイム設定処理を示すフローチャートである。
制御回路６０は、りゅうず４３が１段引かれているか否かを判定する（Ｓ１１）。Ｓ１１でＮＯと判定された場合、制御回路６０は、Ｓ１１の処理を繰り返し実行する。
【００５３】
Ｓ１１でＹＥＳと判定された場合、制御回路６０は、変数Ｉに、現在設定されている時差のインデックス番号を設定する。そして、表示制御部６３は、ローカルタイム設定データ５４１においてインデックスＩに対応付けられた針位置を、秒針である指針２１に指示させる（Ｓ１２）。
また、表示制御部６３は、インデックスＩに対応付けられた夏時間実施ルールに基づいて、夏時間を実施する地域であることが記憶装置５４に記憶されていると判定された場合、モード針である指針２４に「ＤＢ」を指示させる。また、夏時間実施ルールに基づいて、夏時間を実施する地域であることが記憶装置５４に記憶されていないと判定された場合、指針２４に「ＯＦＦ」を指示させる。なお、夏時間を実施する地域であることが記憶装置５４に記憶されているかの否かの判定は、後述するＳ２３と同様の方法で行う。
【００５４】
そして、制御回路６０は、手動操作部４０から出力される操作信号の入力を許可する（Ｓ１３）。
選択部６４は、手動操作部４０から出力される操作信号に基づいて、りゅうず４３が回転され、時差選択操作が行われたことを検出すると、りゅうず４３の回転方向が、時計回りか、反時計回りかを判定する（Ｓ１４）。
【００５５】
りゅうず４３の回転方向が時計回りの場合、選択部６４は、インデックス番号が１つ大きい時差を選択するアップ操作が行われたと判定し、Ｉの値に１を加算する（Ｓ１５）。
次に、選択部６４は、Ｉの値が、最大値「３９」に１を加算した値である「４０」であるか否かを判定する（Ｓ１６）。Ｓ１６でＮＯと判定された場合、選択部６４は、処理をＳ２１に進める。
Ｓ１６でＹＥＳと判定された場合、選択部６４は、Ｉの値を０に変更し（Ｓ１７）、処理をＳ２１に進める。
すなわち、選択部６４は、インデックスが最大値の時差を選択している場合に、アップ操作を検出すると、インデックスが最小値の時差を選択する。
【００５６】
一方、りゅうず４３の回転方向が反時計回りの場合、選択部６４は、インデックス番号が１つ小さい時差を選択するダウン操作が行われたと判定し、Ｉの値から１を減算する（Ｓ１８）。
次に、選択部６４は、Ｉの値が−１か否かを判定する（Ｓ１９）。Ｓ１９でＮＯと判定された場合、選択部６４は、処理をＳ２１に進める。
Ｓ１９でＹＥＳと判定された場合、選択部６４は、Ｉの値を最大値である「３９」に変更し（Ｓ２０）、処理をＳ２１に進める。
すなわち、選択部６４は、インデックスが最小値の時差を選択している場合に、ダウン操作を検出すると、インデックスが最大値の時差を選択する。
【００５７】
Ｓ２１では、表示制御部６３は、ローカルタイム設定データ５４１においてインデックスＩに対応付けられた針位置を、指針２１に指示させる。
そして、時刻修正部６２は、ローカルタイム設定データ５４１から、インデックスＩに対応付けられた時差（タイムゾーン）を取得する（Ｓ２２）。
【００５８】
次に、判定部６５は、ローカルタイム設定データ５４１において、インデックスＩに対応付けられたＤＳＴ番号が０か否かを判定する（Ｓ２３）。すなわち、インデックスＩに対応した地域において夏時間を実施しない地域であることが記憶装置５４に記憶されているか否かを判定する。
Ｓ２３でＹＥＳと判定された場合、すなわち、インデックスＩに対応した地域において夏時間を実施しない地域であることが記憶装置５４に記憶されている場合、すなわちＤＳＴ番号が０である場合、表示制御部６３は、指針２４に「ＯＦＦ」を指示させ、夏時間を実施しない地域であると記憶装置５４に記憶されていることを表示させる（Ｓ２４）。
そして、時刻修正部６２は、Ｓ２２で取得された時差を時差データ５３３に設定し、夏時間オフセットデータ５３４に０時間を設定（初期化）することで、表示用時刻データ５３２の表示用時刻を修正する（Ｓ２５）。そして、表示制御部６３は、指針２２，２３に表示用時刻の時分を表示させる。これにより、選択された時差が反映された時刻の時分が表示される。
【００５９】
一方、Ｓ２３でＮＯと判定された場合、すなわち、インデックスＩに対応したＤＳＴ番号が１以上の整数であって、当該地域において夏時間を実施することを示す夏時間実施ルールが記憶装置５４に記憶されている場合、表示制御部６３は、指針２４に「ＤＢ」を指示させ、当該地域において夏時間を実施することを示す夏時間実施ルールが記憶装置５４に記憶されていることを表示させる（Ｓ２６）。
そして、実施判定部６６は、インデックスＩに対応した実施期間情報に基づいて、夏時間の実施中か否かを判定する（Ｓ２７）。
そして、Ｓ２５で、時刻修正部６２は、上記Ｓ２７で夏時間の実施中ではないと判定された場合は、Ｓ２２で取得された時差を時差データ５３３に設定し、夏時間オフセットデータ５３４に０時間を設定（初期化）することで、表示用時刻データ５３２の表示用時刻を修正する。そして、表示制御部６３は、指針２２，２３に表示用時刻の時分を表示させる。これにより、選択された時差が反映された時刻の時分が表示される。
また、時刻修正部６２は、上記Ｓ２７で夏時間の実施中であると判定された場合は、Ｓ２２で取得された時差を時差データ５３３に設定し、かつ、夏時間参照データ５４２からインデックスＩに対応した夏時間設定情報を取得して、夏時間オフセットデータ５３４に設定することで、表示用時刻データ５３２の表示用時刻を修正する。そして、表示制御部６３は、指針２２，２３に表示用時刻の時分を表示させる。これにより、選択された時差および当該時差に対応付けられた夏時間設定情報が反映された時刻の時分が表示される。
【００６０】
Ｓ２５の処理の後、選択部６４は、りゅうず４３が１段引かれた状態で維持されているか否かを判定する（Ｓ２８）。Ｓ２８でＹＥＳと判定された場合、選択部６４は、処理をＳ１４に戻し、Ｓ１４〜Ｓ２８の処理を再度実行する。
Ｓ２８でＮＯと判定された場合、すなわち、りゅうず４３が１段引かれた状態から移動した場合、表示制御部６３は、指針２１に表示用時刻の秒を表示させる（Ｓ２９）。また、指針２４に電池容量を表示させる。そして、制御回路６０は、ローカルタイム設定処理を終了する。
【００６１】
以上のローカルタイム設定処理によれば、例えば、インデックスの１５番（東京）が選択された場合、時差データ５３３に＋９時間が設定される。また、ＤＳＴ番号が０であり、夏時間を実施しない地域であることが記憶されているため、指針２４がＯＦＦを指示し、夏時間オフセットデータ５３４に０時間が設定される。これにより、ＵＴＣに９時間加算した時刻が表示される。
また、インデックスの３３番（ニューヨーク）が選択された場合、時差データ５３３に−５時間が設定される。また、ＤＳＴ番号が８番であり、夏時間を実施する地域であることが記憶されているため、指針２４がＤＢを指示する。
ここで、ＤＳＴ番号が８番の実施期間情報が示す実施期間は、３月の第２日曜日午前２：００〜１１月の第１日曜日午前２：００である。このため、現時刻が例えば１月の場合は、夏時間の実施中ではないため、夏時間オフセットデータ５３４に０時間が設定される。これにより、ＵＴＣから５時間減算した時刻が表示される。また、現時刻が例えば４月の場合は、夏時間の実施中であるため、夏時間オフセットデータ５３４に＋１時間が設定される。これにより、ＵＴＣから４時間減算した時刻が表示される。
【００６２】
なお、本実施形態では、時差選択操作であるアップ操作およびダウン操作は、りゅうず４３を回転させることで行われているが、これに限定されない。例えば、Ａボタン４１が押されることでアップ操作が行われ、Ｂボタン４２が押されることでダウン操作が行われるようにしてもよい。
また、本実施形態では、時差選択操作を行うたびに表示制御部６３が指針２２，２３の移動を制御して、表示用時刻の時分を表示させているが、これに限定されない。例えば、Ｓ２９で、指針２１と同じタイミングで指針２２，２３を移動させてもよい。
【００６３】
［夏時間切替処理］
図１０は、電子時計１が実行する夏時間切替処理を示すフローチャートである。なお、夏時間切替処理は、選択部６４で選択された地域情報（本実施形態では時差）に対応した夏時間実施ルールにおいて、夏時間が実施される地域であることが記憶装置５４に記憶されている場合に実行される。
時刻修正部６２は、計時部６１によって内部時刻の分が更新されたか否かを判定する（Ｓ３１）。
Ｓ３１でＹＥＳと判定された場合、時刻修正部６２は、選択部６４で選択された地域情報に対応した夏時間実施ルールの実施期間情報を参照し、夏時間の開始時刻か否かを判定する（Ｓ３２）。
Ｓ３２でＹＥＳと判定された場合、時刻修正部６２は、選択された地域情報に対応した夏時間設定情報を夏時間オフセットデータ５３４に設定する。これにより、表示用時刻が夏時間設定情報だけ進められ、夏時間が表示される（Ｓ３３）。そして、時刻修正部６２は、１分後、再度、Ｓ３１の処理を行う。
【００６４】
一方、Ｓ３２でＮＯと判定された場合、時刻修正部６２は、選択部６４で選択された地域情報に対応した夏時間実施ルールの実施期間情報を参照し、夏時間の終了時刻か否かを判定する（Ｓ３４）。
夏時間の実施期間が始まる前、または、夏時間の実施期間中は、Ｓ３４でＮＯと判定され、時刻修正部６２は、１分後、再度、Ｓ３１の処理を行う。
また、Ｓ３３で夏時間が表示された後、夏時間の実施期間が終了すると、Ｓ３４でＹＥＳと判定され、時刻修正部６２は、夏時間オフセットデータ５３４に０時間を設定する。これにより、表示用時間が夏時間設定情報だけ戻され、標準時が表示される（Ｓ３５）。そして、時刻修正部６２は、１分後、再度、Ｓ３１の処理を行う。
【００６５】
［第１実施形態の作用効果］
電子時計１によれば、ローカルタイム設定処理において、選択された地域情報に対応した夏時間実施ルールにおいて、夏時間が実施される地域であることが記憶されている場合、夏時間が実施される地域であることを表示（指針２４が「ＤＢ」を指示）し、選択された地域情報に対応した夏時間実施ルールにおいて夏時間が実施される地域であることが記憶されていない場合、夏時間が実施される地域ではないことを表示（指針２４が「ＯＦＦ」を指示）する。
これにより、ユーザーは、電子時計１が、選択されている地域において、夏時間が実施される地域であることを示す夏時間実施ルールを記憶しているか否かを把握できる。
このため、ユーザーは、夏時間が実施される地域が選択されているにもかかわらず夏時間が実施される地域ではないと表示された場合（指針２４が「ＯＦＦ」を指示した場合）、または、夏時間が実施されない地域が選択されているにもかかわらず夏時間が実施される地域であると表示された場合（指針２４が「ＤＢ」を指示した場合）、選択された地域に対して記憶装置５４の情報が対応していないことが分かる。したがって、ユーザーは、夏時間が実施される地域が選択されているにもかかわらず夏時間が実施される地域ではないと表示された場合は、例えば、夏時間の実施期間に、手動で時刻を修正するなどの対応をとることができる。また、夏時間が実施されない地域が選択されているにもかかわらず夏時間が実施される地域であると表示された場合は、例えば、電子時計１を操作して夏時間を表示しないように設定するなどの対応をとることができる。
【００６６】
ユーザーは、手動操作部４０を操作することで、現在地とは異なる地域の地域情報も選択できる。このため、例えば、日本から海外の地域に移動する際、電子時計１が当該地域を夏時間を実施する地域として記憶しているか否かを事前に把握できる。
【００６７】
電子時計１が夏時間切替処理を実行することで、選択された地域において、夏時間の実施期間が始まった場合は、ユーザーが夏時間を表示させるための操作を行うことなく、夏時間を表示させることができる。また、夏時間の実施期間が終了した場合は、ユーザーが標準時を表示させるための操作を行うことなく、標準時を表示させることができる。
【００６８】
［第２実施形態］
第２実施形態の電子時計１Ａは、位置情報衛星から衛星信号を受信し、受信した衛星信号に基づいて内部時刻や時差を修正する。また、受信した衛星信号に基づいて、地域情報を選択する。なお、以降の説明では、電子時計１と同じ構成については同じ符号を付与し、説明は省略する。
【００６９】
［電子時計の構成］
電子時計１Ａは、地球の上空を所定の軌道で周回している複数のＧＰＳ（Global Positioning System）衛星のうち、少なくとも１つのＧＰＳ衛星からの衛星信号を受信して時刻情報を取得し、少なくとも３つのＧＰＳ衛星からの衛星信号を受信して位置情報を算出して取得するように構成されている。
【００７０】
［電子時計の概略構成］
図１１は、電子時計１Ａの正面図であり、図１２は、電子時計１Ａの概略を示す断面図である。ここでは、第１実施形態の電子時計１と異なる構成のみ説明し、その他の構成については説明を省略する。
電子時計１Ａでは、外装ケース３０Ａは、金属で形成された円筒状のケース３１の表面側に、セラミックで形成されたベゼル３２が嵌合されて構成されている。
ダイヤルリング３５Ａは、プラスチックで形成され、平面視においてはリング形状となっており、断面視においてはすり鉢形状となっている。ダイヤルリング３５Ａと、ベゼル３２の内周面とによりドーナツ形状の収納空間が形成されており、この収納空間内には、リング状のアンテナ体１１０が収納されている。
【００７１】
文字板１１Ａは、プラスチックなどの光透過性の材料で形成されている。
文字板１１Ａと、地板１２５との間には、光発電を行う太陽電池１３５が備えられている。
回路基板１２０は、裏蓋側に制御装置１００ＡおよびＧＰＳ受信装置５８を備えている。回路基板１２０とアンテナ体１１０とは、アンテナ接続ピン１１５を用いて接続されている。
また、本実施形態では、電池に、リチウムイオン電池などの二次電池１３０Ａが用いられている。二次電池１３０Ａは、太陽電池１３５が発電した電力で充電される。
【００７２】
図１１に示すように、ダイヤルリング３５Ａには、１２分位置にアルファベットの「Ｙ」と、１８分位置にアルファベットの「Ｎ」の英字が表記されている。Ａボタン４１が押されると、指針２１は、「Ｙ」および「Ｎ」のいずれか一方を指示し、前回の衛星信号の受信結果を表示する。すなわち、成功の場合は、「Ｙ」を指示し、失敗の場合は、「Ｎ」を指示する。
指針２４の回転領域の外周には、「１」の数字と「４＋」の記号が表記されている。これらの数字と記号は、衛星信号の受信モードを表す。「１」は時刻情報を受信し内部時刻が修正されること（測時モード）を、「４＋」は時刻情報と軌道情報とを受信し、現在位置である位置情報を算出し、内部時刻と時差とが修正されること（測位モード）を意味する。
【００７３】
［電子時計の回路構成］
図１３は、電子時計１Ａの回路構成を示す図である。
電子時計１Ａは、図１３に示すように、衛星信号受信部として、制御装置１００Ａに接続されたＧＰＳ受信装置５８を備えている。また、制御装置１００Ａは、ダイオード７１、充電制御用スイッチ７２、電圧検出回路７３を備えている。
【００７４】
ダイオード７１は、太陽電池１３５と二次電池１３０Ａとを電気的に接続する経路に設けられ、太陽電池１３５から二次電池１３０Ａへの電流（順方向電流）を遮断せずに、二次電池１３０Ａから太陽電池１３５への電流（逆方向電流）を遮断する。なお、順方向電流が流れるのは、二次電池１３０Ａの電圧よりも太陽電池１３５の電圧が高い場合、すなわち充電時に限られる。ダイオード７１は、太陽電池１３５の電圧が二次電池１３０Ａよりも低くなった場合は、二次電池１３０Ａから太陽電池１３５に電流が流れることを防止する。
充電制御用スイッチ７２は、太陽電池１３５から二次電池１３０Ａへの電流の経路を接続および切断するものであり、太陽電池１３５と二次電池１３０Ａとを電気的に接続する経路に設けられたスイッチング素子を備えている。スイッチング素子がオフ状態からオン状態に遷移すると接続し、スイッチング素子がオン状態からオフ状態へ遷移すると切断する。
【００７５】
電圧検出回路７３は、電圧の検出タイミングを指定する制御信号に基づいて作動し、充電制御用スイッチ７２がオフ状態とされた期間において太陽電池１３５の端子電圧ＰＶＩＮ、すなわち太陽電池１３５の出力電圧を検出する。そして、検出結果を制御回路６０Ａに出力する。
【００７６】
ＧＰＳ受信装置５８は、アンテナ体１１０に接続され、アンテナ体１１０を介して受信した衛星信号を処理して時刻情報や位置情報を取得する。アンテナ体１１０は、ＧＰＳ衛星から送信され、カバーガラス３３とダイヤルリング３５Ａとを通過した衛星信号の電波を受信する。
そして、ＧＰＳ受信装置５８は、図示を略すが、通常のＧＰＳ装置と同様に、ＧＰＳ衛星から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）を処理して時刻情報や位置情報を取得して出力する情報取得部とを備えている。
【００７７】
図１４は、電子時計１Ａの記憶装置５４に記憶されるデータの構成を示す図である。
記憶装置５４には、ローカルタイム設定データ５４１および夏時間参照データ５４２に加え、電子時計１Ａを駆動させるためのシステム設定データ５４４や受信設定データ５４５の他、後述するローカルタイム受信設定データ５４６や、各データのバージョン（版）を示すバージョンデータ５４３が、所定のアドレスにそれぞれ記憶されている。
記憶装置５４は書き換え可能であるため、ローカルタイム設定データ５４１、システム設定データ５４４、受信設定データ５４５、ローカルタイム受信設定データ５４６、バージョンデータ５４３は、更新可能とされている。
【００７８】
システム設定データ５４４には、例えば、歩度情報やステップモーターの駆動設定情報等のパラメーターなどが記憶される。
受信設定データ５４５には、ＧＰＳ受信装置５８の受信処理における、衛星信号の自動受信間隔や、衛星信号を捕捉できない場合などに受信処理を終了するまでのタイムアウト時間などのパラメーターが記憶される。
【００７９】
図１５は、ローカルタイム受信設定データ５４６の一例を示す図である。
ローカルタイム受信設定データ５４６には、領域情報と、時差（タイムゾーン）と、ＤＳＴ番号と、夏時間設定情報（ＤＳＴオフセット）と、時差変更情報（タイムゾーン変更情報）と、夏時間変更情報（ＤＳＴ変更情報）とが対応付けられて記憶されている。本実施形態では、夏時間実施ルールに、ローカルタイム受信設定データ５４６におけるＤＳＴ番号も含まれる。
【００８０】
領域情報は、図１６に示すように、地理情報を複数の領域に分割した際の各領域を示す情報である。各領域は、例えば、東西および南北方向の各長さが１０００〜２０００ｋｍ程度の矩形形状の領域である。領域情報としては、各領域を特定するための座標データが記憶されている。すなわち、矩形形状の領域であれば、例えば、領域の左上の座標（経度、緯度）と、領域の右下の座標（経度、緯度）とで領域を特定できるため、これらの２点の座標が記憶されている。
このため、制御回路６０Ａは、測位モードで位置情報を取得した場合、その位置情報（緯度、経度）に基づいて領域情報を選択できるようにされている。本実施形態では、領域情報も、地域情報に相当する。
【００８１】
図１５に戻り、時差変更情報は、将来予定されている時差の変更情報である。夏時間変更情報は、将来予定されている夏時間の変更情報である。制御回路６０Ａは、時差変更情報にしたがって、時差の変更時期になると、ローカルタイム受信設定データ５４６の時差を変更し、夏時間変更情報にしたがって、夏時間の変更時期になると、ローカルタイム受信設定データ５４６の夏時間設定情報を変更する。
【００８２】
制御回路６０Ａは、図１７に示すように、計時部６１、時刻修正部６２、表示制御部６３、選択部６４、判定部６５、実施判定部６６、測時部６７、測位部６８として機能する。
【００８３】
測時部６７は、所定間隔で設定された自動受信タイミングに該当した場合や、電子時計１Ａに照射される光量が所定光量以上となり、屋外において電子時計１Ａに日光が照射していると判断できる場合に、自動受信条件に該当したと判断し、ＧＰＳ受信装置５８を作動して測時モードでの受信処理を実行させる。また、測時部６７は、Ａボタン４１が３秒以上６秒未満押され、測時モードの強制受信操作が行われると、ＧＰＳ受信装置５８を作動して測時モードでの受信処理を実行させる。測時モードでの受信処理が実行されると、ＧＰＳ受信装置５８は、少なくとも１つのＧＰＳ衛星を捕捉し、そのＧＰＳ衛星から送信される衛星信号を受信して時刻情報を取得する。
【００８４】
測位部６８は、Ａボタン４１が６秒以上押され、測位モードの強制受信操作が行われると、ＧＰＳ受信装置５８を作動して測位モードでの受信処理を実行させる。測位モードでの受信処理が実行されると、ＧＰＳ受信装置５８は、少なくとも３個、好ましくは４個以上のＧＰＳ衛星を捕捉し、各ＧＰＳ衛星から送信される衛星信号を受信して位置情報を算出して取得する。また、ＧＰＳ受信装置５８は、衛星信号を受信した際に時刻情報も同時に取得できる。
なお、本実施形態では、上記自動受信条件に該当した場合、測時モードでの受信処理が行われるが、測位モードでの受信処理が行われるように選択できるようにしてもよい。
【００８５】
なお、本実施形態では、選択部６４は、手動操作部４０の操作に応じて地域情報としての時差を選択するだけではなく、測位モードの受信処理によって取得された位置情報に基づいて地域情報としての領域情報を選択する。
また、判定部６５は、選択部６４が選択した時差または領域情報に対応する夏時間実施ルールにおいて、夏時間を実施する地域であることを示す情報が記憶されているか否かを判定する。
【００８６】
電子時計１Ａでは、測時モードの受信処理が実行されると、時刻修正部６２は、取得された時刻情報で内部時刻データ５３１を更新して内部時刻を修正する。
なお、測位モードの受信処理については、次のローカルタイム受信設定処理の説明で述べる。
【００８７】
［ローカルタイム受信設定処理］
電子時計１Ａは、第１実施形態で説明したローカルタイム設定処理に加えて、以下のローカルタイム受信設定処理を実行する。
図１８、図１９は、電子時計１Ａが実行するローカルタイム受信設定処理を示すフローチャートである。
測位部６８は、Ａボタン４１が６秒間押されたか否かを判定する（Ｓ４１）。Ｓ４１でＮＯと判定された場合、測位部６８は、Ｓ４１の処理を繰り返し実行する。
【００８８】
Ｓ４１でＹＥＳと判定された場合、測位部６８はＧＰＳ受信装置５８を作動して測位モードでの受信処理を開始させる（Ｓ４２）。
そして、表示制御部６３は、捕捉されているＧＰＳ衛星の数（捕捉衛星数）を指針２１に表示させる（Ｓ４３）。具体的に、表示制御部６３は、指針２１に、０から１１までの時の値を示す位置のうち、捕捉衛星数の値と対応する時の値を示す位置を指示させることで、捕捉衛星数を表示させる。例えば、捕捉衛星数が５個の場合、５時位置（２５秒位置）を指示させる。
さらに、Ｓ４３で、表示制御部６３は、指針２４に「４＋」を指示させ、受信モードが測位モードであることを表示させる。
【００８９】
次に、測位部６８は、測位受信に成功したか否か、すなわち、位置情報の取得に成功したか否かを判定する（Ｓ４４）。
Ｓ４４でＮＯと判定された場合、表示制御部６３は、指針２１に表示用時刻の秒を表示させ、指針２４に電池容量を表示させる（Ｓ４５）。そして、制御回路６０Ａは、ローカルタイム受信設定処理を終了する。
【００９０】
一方、Ｓ４４でＹＥＳと判定された場合、選択部６４は、ローカルタイム受信設定データ５４６の領域情報から、取得された位置情報（緯度、経度）が属する領域情報を選択する（Ｓ４６）。
次に、表示制御部６３は、ローカルタイム受信設定データ５４６において選択された領域情報に対応付けられた時差を、指針２１に指示させる（Ｓ４７）。
そして、時刻修正部６２は、ローカルタイム受信設定データ５４６から、選択された領域情報に対応付けられた時差（タイムゾーン）を取得する（Ｓ４８）。
【００９１】
次に、判定部６５は、ローカルタイム受信設定データ５４６において、選択された領域情報に対応付けられたＤＳＴ番号が０か否かを判定する（Ｓ４９）。すなわち、選択された領域情報に対応した夏時間実施ルールにおいて、夏時間を実施する地域ではないことが記憶装置５４に記憶されているか否かを判定する。
Ｓ４９でＹＥＳと判定された場合、表示制御部６３は、指針２４に「ＯＦＦ」を指示させ、夏時間を実施する地域ではないことが記憶装置５４に記憶されていることを表示させる（Ｓ５０）。
そして、時刻修正部６２は、Ｓ４８で取得された時差を時差データ５３３に設定し、夏時間オフセットデータ５３４に０時間を設定（初期化）することで、表示用時刻データ５３２の表示用時刻を修正する（Ｓ５１）。そして、表示制御部６３は、指針２２，２３に表示用時刻の時分を表示させる。これにより、選択された領域情報に対応した時差が反映された時刻の時分が表示される。
【００９２】
一方、Ｓ４９でＮＯと判定された場合、表示制御部６３は、指針２４に「ＤＢ」を指示させ、夏時間を実施する地域ではあることが記憶装置５４に記憶されていることを表示させる（Ｓ５２）。
そして、実施判定部６６は、選択された領域情報に対応した夏時間実施ルールの実施期間情報に基づいて、夏時間を実施中か否かを判定する（Ｓ５３）。
そして、Ｓ５１で、時刻修正部６２は、上記Ｓ５３で夏時間を実施中ではないと判定された場合は、Ｓ４８で取得された時差を時差データ５３３に設定し、夏時間オフセットデータ５３４に０時間を設定（初期化）することで、表示用時刻データ５３２の表示用時刻を修正する。そして、表示制御部６３は、指針２２，２３に表示用時刻の時分を表示させる。これにより、選択された領域情報に対応した時差が反映された時刻の時分が表示される。
また、時刻修正部６２は、上記Ｓ５３で夏時間を実施中であると判定された場合は、Ｓ４８で取得された時差を時差データ５３３に設定する。さらに、夏時間参照データ５４２から、ＤＳＴ番号を参照して、選択された領域情報に対応した夏時間設定情報を取得し、夏時間オフセットデータ５３４に設定する。これにより、表示用時刻データ５３２の表示用時刻を修正する。そして、表示制御部６３は、指針２２，２３に表示用時刻の時分を表示させる。これにより、選択された領域情報に対応した時差および当該領域情報に対応した夏時間設定情報が反映された時刻の時分が表示される。
【００９３】
Ｓ５１の処理の後、Ｓ４５で、表示制御部６３は、指針２１に表示用時刻の秒を表示させ、指針２４に電池容量を表示させる。そして、制御回路６０Ａは、ローカルタイム受信設定処理を終了する。
【００９４】
［第２実施形態の作用効果］
第２実施形態によれば、第１実施形態と同じ構成により、同じ作用効果を得ることができる。さらに、次の作用効果を得ることができる。
すなわち、ユーザーは、Ａボタン４１を押して衛星信号を受信させることで現在地の地域情報を選択できるため、各ボタン４１，４２やりゅうず４３を現在地の地域情報が選択されるまで操作して選択する場合と比べて、現在地の地域情報を容易に選択できる。
【００９５】
［第３実施形態］
第３実施形態の電子時計は、第１実施形態の電子時計１および第２実施形態の電子時計１Ａに対して、上記夏時間切替処理が実行される夏時間自動表示モードと、夏時間が表示されない夏時間非表示モードとを切り替えて設定できる機能を追加したものである。なお、以降の説明では、電子時計１，１Ａと同じ構成については同じ符号を付与し、説明は省略する。
【００９６】
夏時間の実施状況は、図２０に示すように、毎年のように変更されている。
このため、電子時計に記憶されているローカルタイム設定データ５４１や夏時間参照データ５４２が最新版ではない場合、電子時計は夏時間が実施される地域なのに夏時間を表示しなかったり、夏時間が実施されない地域なのに夏時間を表示したりする場合がある。
例えば、ハイチでは、２０１２年から夏時間が実施されているが、２０１６年に夏時間が廃止されている。このため、電子時計に記憶されているデータが２０１５年版である場合、ハイチにおいて、夏時間が実施されていないにもかかわらず、夏時間を表示してしまう。
このため、本実施形態の電子時計では、夏時間を表示しない夏時間非表示モードを設定できるように構成されている。
【００９７】
本実施形態の電子時計の制御回路６０Ｂは、図２１に示すように、計時部６１、時刻修正部６２、表示制御部６３、選択部６４、判定部６５、実施判定部６６、モード設定部６９として機能する。なお、制御回路６０Ｂは、測時部６７および測位部６８としても機能してよい。
モード設定部６９は、手動操作部４０の操作に応じて、夏時間自動表示モードおよび夏時間非表示モードのいずれかを設定する。
【００９８】
［表示モード切替処理］
図２２は、本実施形態の電子時計が実行する表示モード切替処理を示すフローチャートである。表示モード切替処理は、図８に示すローカルタイム設定処理において、Ｓ１３で操作信号の入力が許可された後、りゅうず４３の回転操作が行われるまでの間、実行される。
表示モード切替処理が実行されると、モード設定部６９は、Ａボタン４１が押されたか否かを判定する（Ｓ７１）。Ｓ７１でＮＯと判定された場合、モード設定部６９は、Ｓ７１の処理を繰り返し実行する。
【００９９】
Ｓ７１でＹＥＳと判定された場合、モード設定部６９は、現在設定されている表示モードが、夏時間自動表示モードか否かを判定する（Ｓ７２）。
Ｓ７２でＹＥＳと判定された場合、モード設定部６９は、夏時間非表示モードを設定する（Ｓ７３）。
そして、表示制御部６３は、指針２４に「ＯＦＦ」を指示させ、夏時間非表示モードが設定されていることを表示させる（Ｓ７４）。
そして、時刻修正部６２は、夏時間オフセットデータ５３４に０時間を設定（初期化）して表示用時刻を修正する（Ｓ７５）。そして、表示制御部６３は、指針２２，２３に表示用時刻の時分を表示させる。そして、制御回路６０Ｂは、処理をＳ７１に戻す。
【０１００】
一方、Ｓ７２でＮＯと判定された場合、モード設定部６９は、夏時間自動表示モードを設定する（Ｓ７６）。これにより、図１０に示した夏時間切替処理が実行される。
次に、時刻修正部６２は、選択されている地域情報に対応するＤＳＴ番号が０か否かを判定する（Ｓ７７）。Ｓ７７でＹＥＳと判定された場合、表示制御部６３は、指針２４が「ＯＦＦ」を指示している状態を維持し、夏時間自動表示モードが設定され、かつ、選択されている地域情報に対応した夏時間実施ルールにおいて夏時間を実施する地域であることが、記憶装置５４に記憶されていないことを表示させる。つまり、「ＯＦＦ」の表示は、「夏時間非表示モードが設定されていること」、または、「夏時間自動表示モードが設定され、かつ、選択された地域情報に対応する夏時間実施ルールにおいて、夏時間を実施する地域であることが記憶装置５４に記憶されていないこと」を意味する。
Ｓ７７でＮＯと判定された場合、表示制御部６３は、指針２４に「ＤＢ」を指示させ、夏時間自動表示モードが設定され、かつ、選択されている地域情報に対応した夏時間実施ルールにおいて夏時間を実施する地域であることが、記憶装置５４に記憶されていることを表示させる（Ｓ７８）。
【０１０１】
そして、Ｓ７５で、時刻修正部６２は、夏時間の実施中ではない場合は、夏時間オフセットデータ５３４に０時間を設定（初期化）することで表示用時刻を修正する。また、夏時間の実施中である場合は、選択されている地域情報に対応する夏時間参照データ５４２の夏時間設定情報を、夏時間オフセットデータ５３４に設定して表示用時刻を修正する。
そして、表示制御部６３は、指針２２，２３に表示用時刻の時分を表示させる。そして、制御回路６０Ｂは、処理をＳ７１に戻す。
【０１０２】
［第３実施形態の作用効果］
第３実施形態によれば、第１、第２実施形態と同じ構成により、同じ作用効果を得ることができる。さらに、次の作用効果を得ることができる。
すなわち、例えば、ユーザーは、電子時計が記憶しているデータが最新版ではなく、夏時間が実施されない地域が選択されているにもかかわらず夏時間を実施することが記憶されていると表示された場合は、手動操作部４０を操作して、夏時間非表示モードを設定させることで、夏時間を表示させないようにできる。
【０１０３】
また、選択したい地域が、ローカルタイム設定データ５４１に記憶されていない場合でも、時刻を修正し易くできる。例えば、ユーザーは、オーストラリアのブリスベンの時刻を設定する場合、＋１０時間の時差を選択する。ブリスベンでは夏時間が実施されないが、ローカルタイム設定データ５４１では、＋１０時間の時差には、シドニーの夏時間実施ルールが対応付けられているため、夏時間を実施する地域であることが記憶されていると表示される。このため、ユーザーは、手動操作部４０を操作して、夏時間非表示モードを設定し、夏時間を表示させないようにすることで、ブリスベンの時刻を正しく設定できる。
【０１０４】
また、夏時間自動表示モードおよび夏時間非表示モードのうち、どの表示モードが設定されているかを把握できるため、表示モードの選択を容易に行うことができる。
【０１０５】
［第４実施形態］
第４実施形態の電子時計は、第３実施形態の電子時計に対して、モード設定部６９が、夏時間自動表示モードおよび夏時間非表示モードに加えて、夏時間が常に表示される夏時間表示モードを設定する。この第４実施形態では、第１実施形態の図６に示す夏時間参照データ５４２に代えて、図２３に示す夏時間参照データ５４２が記憶されている。図２３に示す夏時間参照データ５４２では、ＤＳＴ番号「０」の場合に、ＤＳＴオフセットに＋１時間が記憶されている。
【０１０６】
図２０に示すように、例えば、トルコでは、２０１６年に、１年中夏時間となり、すなわち、標準時が夏時間の時刻となり、夏時間が廃止されている。このため、電子時計が記憶しているデータが２０１５年版である場合、トルコにおいて、２０１５年まで実施されていた夏時間の実施期間に該当しない期間において、１時間遅れた時刻（夏時間ではない時刻）が表示されてしまう。
このため、本実施形態の電子時計では、夏時間が常に表示される夏時間表示モードを設定できるように構成されている。
【０１０７】
本実施形態の電子時計は、図２４に示すように、指針２４の回転領域の外周に、「ＤＢ」、「ＯＦＦ」の英字と並んで、「ＯＮ」の英字が表記されている。指針２４は、ＯＮを指示することで、夏時間表示モードが設定されていることを表示する。
【０１０８】
［表示モード切替処理］
図２５は、本実施形態の電子時計が実行する表示モード切替処理を示すフローチャートである。
表示モード切替処理が実行されると、モード設定部６９は、Ａボタン４１が押されたか否かを判定する（Ｓ９１）。
Ｓ９１でＹＥＳと判定された場合、モード設定部６９は、現在設定されている表示モードが、夏時間自動表示モードか否かを判定する（Ｓ９２）。
Ｓ９２でＹＥＳと判定された場合、モード設定部６９は、夏時間非表示モードを設定する（Ｓ９３）。
そして、表示制御部６３は、指針２４に「ＯＦＦ」を指示させ、夏時間非表示モードが設定されていることを表示させる（Ｓ９４）。
そして、時刻修正部６２は、夏時間オフセットデータ５３４を初期化して表示用時刻を修正する（Ｓ９５）。そして、表示制御部６３は、指針２２，２３に表示用時刻の時分を表示させる。そして、制御回路は、処理をＳ９１に戻す。
【０１０９】
一方、Ｓ９２でＮＯと判定された場合、モード設定部６９は、現在設定されている表示モードが、夏時間非表示モードか否かを判定する（Ｓ９６）。
Ｓ９６でＹＥＳと判定された場合、モード設定部６９は、夏時間表示モードを設定する（Ｓ９７）。
そして、表示制御部６３は、指針２４に「ＯＮ」を指示させ、夏時間表示モードが設定されていることを表示させる（Ｓ９８）。
そして、Ｓ９５で、時刻修正部６２は、選択されている地域情報に対応する夏時間設定情報を、夏時間オフセットデータ５３４に設定して表示用時刻を修正する。そして、表示制御部６３は、指針２２，２３に表示用時刻の時分を表示させる。そして、制御回路は、処理をＳ９１に戻す。
【０１１０】
Ｓ９６でＮＯと判定された場合、モード設定部６９は、夏時間自動表示モードを設定する（Ｓ９９）。これにより、図１０に示した夏時間切替処理が実行される。
次に、時刻修正部６２は、選択されている地域情報に対応するＤＳＴ番号が０か否かを判定する（Ｓ１００）。
【０１１１】
Ｓ１００でＹＥＳと判定された場合、Ｓ９４で、表示制御部６３は、指針２４に「ＯＦＦ」を指示させ、夏時間自動表示モードが設定され、かつ、選択された地域情報に対応する夏時間実施ルールにおいて、夏時間を実施する地域であることが記憶装置５４に記憶されていないことを表示させる。つまり、「ＯＦＦ」の表示は、「夏時間非表示モードが設定されていること」、または、「夏時間自動表示モードが設定され、かつ、選択された地域情報に対応する夏時間実施ルールにおいて、夏時間を実施する地域であることが記憶装置５４に記憶されていないこと」を意味する。
そして、Ｓ９５で、時刻修正部６２は、夏時間オフセットデータ５３４に０時間を設定（初期化）して表示用時刻を修正する。そして、表示制御部６３は、指針２２，２３に表示用時刻の時分を表示させる。そして、制御回路は、処理をＳ９１に戻す。
【０１１２】
一方、Ｓ１００でＮＯと判定された場合、表示制御部６３は、指針２４に「ＤＢ」を指示させ、夏時間自動表示モードが設定され、かつ、選択された地域情報に対応する夏時間実施ルールにおいて、夏時間を実施する地域であることが記憶装置５４に記憶されていることを表示させる（Ｓ１０１）。
【０１１３】
そして、Ｓ９５で、時刻修正部６２は、夏時間を実施中ではない場合は、夏時間オフセットデータ５３４に０時間を設定（初期化）することで表示用時刻を修正する。また、夏時間を実施中である場合は、選択されている地域情報に対応する夏時間参照データ５４２の夏時間設定情報を、夏時間オフセットデータ５３４に設定して表示用時刻を修正する。
そして、表示制御部６３は、指針２２，２３に表示用時刻の時分を表示させる。そして、制御回路は、処理をＳ９１に戻す。
【０１１４】
［第４実施形態の作用効果］
第４実施形態によれば、第３実施形態と同じ構成により、同じ作用効果を得ることができる。さらに、次の作用効果を得ることができる。
すなわち、例えば、ユーザーは、夏時間が実施される地域が選択されているにもかかわらず夏時間を実施する地域であることが記憶されていないと表示された場合（指針２４が「ＯＦＦ」を指示）、夏時間の実施期間に、手動操作部４０を操作して、夏時間表示モードを設定させることで、夏時間を表示させることができる。
また、夏時間自動表示モード、夏時間表示モード、および夏時間非表示モードのうち、どの表示モードが設定されているかを把握できるため、表示モードの選択を容易に行うことができる。
【０１１５】
なお、本実施形態において、図２３の夏時間参照データ５４２のＤＳＴ番号「０」の場合、ＤＳＴオフセットに＋１時間を記憶するようにしたが、夏時間参照データ５４２に記憶させるのではなく、別の記憶領域に夏時間設定情報として記憶するようにしてもよい。
【０１１６】
［第５実施形態］
第５実施形態の電子時計は、第１〜第４実施形態の電子時計に対して、標準電波を受信する電波受信部を追加したものである。なお、以降の説明では、第１実施形態の電子時計１に電波受信部を追加した例について説明し、電子時計１と同じ構成については同じ符号を付与し、説明は省略する。
【０１１７】
本実施形態の電子時計１Ｃでは、図２６に示すように、指針２４の回転領域の外周には、「Ｒ」の英字が表記されている。指針２４は、Ｒを指示することで、標準電波の受信中であることを表示する。
【０１１８】
図２７は、電子時計１Ｃの回路構成を示す図である。
電子時計１Ｃは、制御装置１００Ｃに接続された二次電池１３０Ａ、太陽電池１３５、電波受信装置５９を備えている。また、制御装置１００Ｃは、ダイオード７１、充電制御用スイッチ７２、電圧検出回路７３を備えている。
【０１１９】
電波受信部としての電波受信装置５９は、図示を略すが、同調回路、増幅回路、バンドパスフィルター、包絡線検波回路、ＡＧＣ（Auto Gain Control）回路、二値化回路等を
備える一般的な受信装置である。
電波受信装置５９は、複数の標準電波を受信可能に構成されている。本実施形態では、日本の標準電波「ＪＪＹ」、アメリカ合衆国の標準電波「ＷＷＶＢ」、ドイツの標準電波「ＤＣＦ７７」、イギリスの標準電波「ＭＳＦ」を受信可能に構成されている。
ここで、各標準電波には、時刻情報に加えて、夏時間の実施中か否かを示す実施状態情報が含まれている。電波受信装置５９は、標準電波を受信して、時刻情報および実施状態情報を取得し、制御回路６０Ｃに出力する。
【０１２０】
なお、本実施形態では、時刻修正部６２は、標準電波を受信することで取得された時刻情報で内部時刻データ５３１を更新して内部時刻を修正する。
また、実施判定部６６は、取得された実施状態情報に基づいて、夏時間を実施中か否かを判定する。
【０１２１】
［標準電波受信処理］
図２８は、電子時計１Ｃが実行する標準電波受信処理を示すフローチャートである。
制御回路６０Ｃは、Ａボタン４１が６秒間押されたか否かを判定する（Ｓ１１１）。Ｓ１１１でＮＯと判定された場合、制御回路６０Ｃは、Ｓ１１１の処理を繰り返し実行する。
【０１２２】
Ｓ１１１でＹＥＳと判定された場合、制御回路６０Ｃは電波受信装置５９を作動して受信処理を開始させる（Ｓ１１２）。
そして、表示制御部６３は、指針２４に「Ｒ」を指示させ、標準電波を受信中であることを表示させる（Ｓ１１３）。
【０１２３】
次に、制御回路６０Ｃは、受信に成功したか否か、すなわち、時刻情報および実施状態情報を取得できたか否かを判定する（Ｓ１１４）。
Ｓ１１４でＮＯと判定された場合、表示制御部６３は、指針２４に電池容量を表示させる（Ｓ１１５）。そして、制御回路６０Ｃは、標準電波受信処理を終了する。
【０１２４】
一方、Ｓ１１４でＹＥＳと判定された場合、実施判定部６６は、取得された実施状態情報に基づいて、夏時間を実施中であるか否かを判定する（Ｓ１１６）。
Ｓ１１６でＹＥＳと判定された場合、表示制御部６３は、指針２４に「ＤＢ」を指示させ、夏時間を実施中であることを表示させる（Ｓ１１７）。
一方、Ｓ１１６でＮＯと判定された場合、表示制御部６３は、指針２４に「ＯＦＦ」を指示させ、夏時間を実施中ではないことを表示させる（Ｓ１１８）。
【０１２５】
Ｓ１１７またはＳ１１８の処理の後、時刻修正部６２は、取得された時刻情報を基に内部時刻データ５３１を更新して内部時刻を修正する。具体的には、取得された時刻情報が示す時刻から、設定されている時差を引いてＵＴＣを算出し、算出したＵＴＣで内部時刻データ５３１を更新する。これにより、表示用時刻を修正する（Ｓ１１９）。そして、表示制御部６３は、指針２１，２２，２３に表示用時刻の時分秒を表示させる。
その後、Ｓ１１５で、表示制御部６３は、指針２４に電池容量を表示させる。そして、制御回路６０Ｃは、標準電波受信処理を終了する。
なお、受信処理は、予め設定された時刻に実行されるようにしてもよい。
【０１２６】
［第５実施形態の作用効果］
第５実施形態によれば、第１〜第４実施形態と同じ構成により、同じ作用効果を得ることができる。さらに、次の作用効果を得ることができる。
すなわち、標準電波受信処理が実行されることで、ユーザーは、夏時間を実施中であるか否かを把握できる。
また、実施状態情報に基づいて夏時間を実施中であるか否かを判定できるため、例えば、現在時刻が夏時間の実施期間に該当するか否かを判定する必要がない。このため、夏時間の実施中か否かの判定を容易にできる。
【０１２７】
［第６実施形態］
第６実施形態の電子時計１Ｅについて、図２９〜図３３を参照して説明する。電子時計１Ｅは、第２実施形態の電子時計１Ａと同様の構成を備えており、電子時計１Ａに比べて、手動操作で夏時間表示モード、夏時間非表示モードを選択可能な点が相違する。したがって、図２９〜図３３において、電子時計１Ａと同じ構成については同一符号を付し、説明を省略する。
電子時計１Ｅは、図２９に示すように、指針２４で指示可能な情報として、カレンダー（曜日）を示す情報と、電池残量を示す記号１２と、受信モードを示す情報に加えて、夏時間（ＤＳＴ）に関する「ＤＢ」、「ＯＦＦ」、「ＯＮ」の３つの情報を指示できるように構成されている。
【０１２８】
「ＤＢ」は、第２実施形態と同様に、夏時間自動表示モードが設定された際に指示される情報である。「ＯＮ」は、ユーザーが手動操作で夏時間表示モードを選択した場合に、指針２４が指示する情報であり、「ＯＦＦ」は、ユーザーが手動操作で夏時間非表示モードを選択した場合に、指針２４が指示する情報である。
【０１２９】
電子時計１Ｅは、図３０に示すような制御回路６０Ｅを備えている。制御回路６０Ｅは、計時部６１、時刻修正部６２、表示制御部６３、選択部６４、判定部６５、実施判定部６６、測時部６７、測位部６８、モード設定部６９を備える。計時部６１から測位部６８までは、第２実施形態の制御回路６０Ａと同じである。モード設定部６９は、第３実施形態と同様に、手動操作部４０の操作に応じて、夏時間表示モードおよび夏時間非表示モードのいずれかを設定する。また、モード設定部６９は、測位受信処理によって現在地の領域の夏時間実施ルール（ＤＳＴ番号）に応じて、夏時間自動表示モードおよび夏時間非表示モードのいずれかを設定する。
【０１３０】
次に、電子時計１Ｅの受信処理について、図３１、図３２を参照して説明する。なお、図３１、３２において、前記第２実施形態の図１８、図１９と同じ処理には同じ符号を付し、説明を省略する。
電子時計１Ｅの制御回路６０Ｅは、Ａボタン４１が６秒間押されたか否かを判定する（Ｓ４１）。Ｓ４１でＹＥＳと判定された場合、測位部６８が作動され、測位部６８は、第２実施形態と同じく、Ｓ４２〜Ｓ４４を実行し、測位受信に成功した場合（Ｓ４４でＹＥＳ）は、Ｓ４６、Ｓ４７を実行し、さらに、図３２の処理を実行する。測位受信に失敗した場合（Ｓ４４でＮＯ）は、第２実施形態と同じく、図３２のＳ４５を実行する。なお、モード設定部６９は、判定部６５がＳ４９でＹＥＳと判定した場合は、夏時間非表示モード（ＯＦＦ）を設定し、Ｓ４９でＮＯと判定した場合は、夏時間自動表示モード（ＤＢ）を設定する。
【０１３１】
電子時計１Ｅの制御回路６０Ｅは、Ｓ４１でＮＯと判定された場合、Ａボタン４１が３秒以上、６秒未満押されたかを判定する（Ｓ２０１）。Ｓ２０１でＹＥＳと判定された場合、測時部６７が作動され、測時部６７は、Ｓ２０２〜Ｓ２０４を実行する。すなわち、測時部６７は、ＧＰＳ受信装置５８を作動して測時モードでの受信処理を開始させる（Ｓ２０２）。
そして、表示制御部６３は、測位モードでのＳ４３と同様に、捕捉されているＧＰＳ衛星の数（捕捉衛星数）を指針２１に表示させる（Ｓ２０３）。さらに、Ｓ２０３で、表示制御部６３は、指針２４に「１」を指示させ、受信モードが測時モードであることを表示させる。
【０１３２】
次に、測時部６７は、測位受信に成功したか否か、すなわち、時刻情報（ＵＴＣ）の取得に成功したか否かを判定する（Ｓ２０４）。
Ｓ２０４でＮＯと判定された場合、表示制御部６３は、指針２１に表示用時刻の秒を表示させ、指針２４に電池容量を表示させる（Ｓ４５）。そして、制御回路６０Ｅは、受信処理を終了する。
【０１３３】
一方、Ｓ２０４でＹＥＳと判定された場合、時刻修正部６２は、受信した時刻情報（ＵＴＣ）と、現在、設定されている時差（タイムゾーン）および夏時間の情報とを用いて、表示用時刻データ５３２の表示用時刻を修正する（Ｓ５１）。そして、表示制御部６３は、指針２２，２３に表示用時刻の時分を表示させる。これにより、現在選択されている領域情報に対応した時差が反映された時刻が表示される。
Ｓ５１の処理の後、Ｓ４５で、表示制御部６３は、捕捉衛星数を指示していた指針２１に表示用時刻の秒を表示させ、指針２４に電池容量を表示させる。そして、制御回路６０Ｅは、受信処理を終了する。
なお、測時受信時には領域（タイムゾーン）は変更されないため、本実施形態では、指針２４で夏時間の情報を指示していないが、測位受信処理時と同様に、Ｓ４５の電池容量表示を行う前に、一定時間、現在設定されている夏時間情報（ＤＢ，ＯＮ，ＯＦＦのいずれか）を指針２４で指示してもよい。
【０１３４】
［表示モード切替処理］
図３３は、本実施形態の電子時計１Ｅが実行する表示モード切替処理を示すフローチャートである。
制御回路６０Ｅは、りゅうず４３が１段引かれた状態でＡボタン４１が押されたか否かを判定する（Ｓ２１１）。Ｓ２１１でＹＥＳと判定された場合、制御回路６０Ｅは、モード設定部６９によって表示モード切替処理を実行する。
Ｓ２１１でＹＥＳと判定された場合、モード設定部６９は、現在設定されている表示モードが、夏時間自動表示モードまたは夏時間表示モードであるか否かを判定する（Ｓ２１２）。
【０１３５】
Ｓ２１２でＹＥＳと判定された場合、モード設定部６９は、夏時間非表示モードを設定する（Ｓ２１３）。そして、表示制御部６３は、指針２４に「ＯＦＦ」を指示させ、夏時間非表示モードが設定されていることを表示させる（Ｓ２１４）。
時刻修正部６２は、夏時間オフセットデータ５３４を初期化して表示用時刻を修正する（Ｓ２１５）。表示制御部６３は、指針２２，２３に表示用時刻の時分を表示させる。そして、制御回路６０Ｅは、処理をＳ２１１に戻す。
【０１３６】
一方、Ｓ２１２でＮＯと判定された場合、モード設定部６９は、夏時間表示モードを設定する（Ｓ２１６）。そして、表示制御部６３は、指針２４に「ＯＮ」を指示させ、夏時間表示モードが設定されていることを表示させる（Ｓ２１７）。
時刻修正部６２は、選択されている地域情報に対応する夏時間設定情報を、夏時間オフセットデータ５３４に設定して表示用時刻を修正する（Ｓ２１５）。表示制御部６３は、指針２２，２３に表示用時刻の時分を表示させる。そして、制御回路６０Ｅは、処理をＳ２１１に戻す。
以上の表示モード切替処理は、りゅうず４３を１段位置から０段位置や２段位置に変更することで終了する。
【０１３７】
したがって、電子時計１Ｅでは、測位受信処理が行われた場合は、取得した位置情報（領域）からタイムゾーンと、夏時間実施ルールの種類を示すＤＳＴ番号とを取得し、夏時間実施ルールが設定されている領域、つまりＤＳＴ番号が「０」以外の場合は、夏時間自動表示モード（ＤＢ）を設定し、夏時間実施ルールが設定されていない場合、つまりＤＳＴ番号が「０」の場合は、夏時間非表示モード（ＯＦＦ）を設定する。
また、ユーザーが、りゅうず４３を１段位置に引き、Ａボタン４１を押すことで、表示モード切替処理を実行した場合は、モード設定部６９は、Ａボタン４１が押される毎に、夏時間表示モード（ＯＮ）と、夏時間非表示モード（ＯＦＦ）とを交互に選択する。このため、夏時間実施ルールが変更されたが、ローカルタイム受信設定データ５４６が更新されていない場合等に、手動操作で夏時間表示の有無を設定できる。なお、夏時間表示モード（ＯＮ）に設定した場合、時刻修正部６２は、夏時間オフセットデータ５３４に設定するデータは、通常は＋１時間とすればよい。ただし、選択されている領域が、ローカルタイム設定データ５４１において、ＤＳＴオフセットが＋０．５時間に設定されている領域（図５のインデックスが１８の領域）の場合は、夏時間オフセットデータ５３４に＋０．５時間と設定してもよい。すなわち、手動操作で夏時間表示モード（ＯＮ）を設定した際は、タイムゾーン毎に予め設定した時間を夏時間オフセットデータ５３４に設定すればよく、前記予め設定した時間は、基本的に夏時間で多く用いられる＋１時間を設定すればよく、地域によっては＋０．５時間等を設定してもよい。さらに、夏時間オフセットデータ５３４をユーザーのりゅうず４３の操作などで入力可能に構成してもよい。
【０１３８】
ユーザーが手動操作で夏時間表示モード（ＯＮ）を選択した後に、測時受信処理を実行すると、受信した時刻情報（ＵＴＣ）と、タイムゾーンの時差と、夏時間オフセットデータ５３４によって表示時刻が修正される。
また、ユーザーが手動操作で夏時間表示モード（ＯＮ）または夏時間非表示モード（ＯＦＦ）を設定した場合、測位受信処理によって夏時間自動表示モード（ＤＢ）または夏時間非表示モード（ＯＦＦ）が設定されるまでは、手動操作の設定が維持される。
【０１３９】
［第６実施形態の作用効果］
第６実施形態によれば、第１〜第４実施形態と同様の構成により、同様の作用効果を得ることができる。さらに、次の作用効果を得ることができる。
ユーザーの手動操作によって、夏時間表示モード（ＯＮ）あるいは夏時間非表示モード（ＯＦＦ）を設定できるため、ユーザーの意図で夏時間表示の有無を選択できる。このため、夏時間実施ルールの変更直後であり、ローカルタイム受信設定データ５４６等が最新データに更新されていない場合でも、変更後のルールに対応した時刻を表示させることができ、利便性を向上できる。また、手動操作で設定できるのは、夏時間表示モード（ＯＮ）、夏時間非表示モード（ＯＦＦ）のいずれかであり、夏時間自動表示モード（ＤＢ）は選択できないため、ユーザーの意図どおりに表示時刻を設定でき、ユーザーにとって分かりやすい操作性を提供できる。
【０１４０】
［他の実施形態］
なお、本発明は前述の実施形態に限定されるものではなく、本発明の目的を達成できる範囲での変形、改良等は本発明に含まれるものである。
【０１４１】
前記実施形態では、ローカルタイム設定処理およびローカルタイム受信設定処理において、表示制御部６３は、選択された地域情報に対応付けられた夏時間実施ルールにおいて、夏時間を実施する地域であることが記憶装置５４に記憶されている場合、指針２４に「ＤＢ」を指示させることで、夏時間を実施する地域であることが記憶装置５４に記憶されていることを表示させるが、本発明はこれに限定されない。例えば、表示制御部６３は、指針２４に、夏時間を実施する地域であることが記憶装置５４に記憶されていることに加えて、夏時間を実施中か否かを表示させてもよい。
この場合、電子時計の文字板には、例えば、図３４に示すように、指針２４の回転領域の外側において、「ＤＢ」の英字と、「ＤＢ」の英字の内側に位置する「ＯＮ」、「ＯＦＦ」の英字とが表記されている。指針２４は、この「ＯＮ」を指示することで、夏時間を実施する地域であることが記憶装置５４に記憶され、かつ、夏時間を実施中であることを表示する。また、「ＯＦＦ」を指示することで、夏時間を実施する地域であることが記憶装置５４に記憶され、かつ、夏時間を実施中ではないことを表示する。
なお、この例では、指針２４の回転領域の外側において、さらに、「ＭＡ」の英字と、「ＭＡ」の英字の内側に位置する「ＯＮ」、「ＯＦＦ」の英字とが表記されている。指針２４は、この「ＯＮ」を指示することで、夏時間表示モードが設定されていることを表示し、「ＯＦＦ」を指示することで、夏時間非表示モードが設定されていることを表示する。また、「ＤＢ」の内側の「ＯＮ」または「ＯＦＦ」を指示することで、夏時間自動表示モードが設定されていることを表示する。
【０１４２】
また、この変形例の夏時間切替処理では、図３５に示すように、Ｓ３２で、夏時間の開始時刻であると判定（Ｓ３２でＹＥＳと判定）された場合、表示制御部６３は、指針２４に「ＤＢ」の内側の「ＯＮ」を指示させ、夏時間を実施中であることを表示させる（Ｓ１２１）。
一方、Ｓ３４で、夏時間の終了時刻であると判定（Ｓ３４でＹＥＳと判定）された場合、表示制御部６３は、指針２４に「ＤＢ」の内側の「ＯＦＦ」を表示させ、夏時間を実施中ではないことを表示させる（Ｓ１２２）。
【０１４３】
前記実施形態では、夏時間を実施する地域であることが記憶装置５４に記憶されているか否か、夏時間の実施中か否か、および、表示モードなどは、指針２４によって表示されているが、本発明はこれに限定されない。例えば、指針２１によって、これらの情報を表示させるようにしてもよい。
例えば、第４実施形態の電子時計の表示機構は、図３６に示すように、ダイヤルリング３５に、「ＤＢ」、「ＯＦＦ」、「ＯＮ」の英字を表記し、指針２１でこれらの英字を指示する構成としてもよい。また、上記変形例の電子時計の表示機構は、図３７に示すように、文字板１１に「ＤＢ」、「ＭＡ」の英字を表記し、ダイヤルリング３５において、「ＤＢ」および「ＭＡ」の近傍にそれぞれ、「ＯＦＦ」、「ＯＮ」の英字を表記する。そして、これらの英字を指針２１で指示する構成としてもよい。
さらに、前記各実施形態において指針２４で指示していた「ＤＢ」、「ＯＦＦ」、「ＯＮ」等の夏時間情報は、日車や曜車等のカレンダー車２５を用いて表示してもよいし、カレンダー車２５とは別の表示車を用意して表示してもよい。例えば、図２９に示す第６実施形態は、現在設定されている夏時間情報として、「ＤＢ」、「ＯＦＦ」、「ＯＮ」のいずれかを、指針２４が指示するように構成していた。そこで、「ＤＢ」、「ＯＦＦ」、「ＯＮ」をカレンダー車２５に印刷などで表記しておき、図３２のステップＳ５０、Ｓ５２、図３３のステップＳ２１４、Ｓ２１７の際に、カレンダー車２５を移動して「ＤＢ」、「ＯＦＦ」、「ＯＮ」のいずれかを表示するように構成してもよい。また、「ＤＢ」、「ＯＦＦ」、「ＯＮ」を表示する専用の表示車を用意してもよい。さらに、カレンダー以外の情報を表示する情報表示用の表示車に、「ＤＢ」、「ＯＦＦ」、「ＯＮ」等を表記し、情報表示用の表示車を夏時間情報の表示に兼用してもよい。カレンダー以外の情報を表示する表示車は、例えば、タイムゾーンを表す都市情報を表示する表示車や、電子時計等に設けたセンサーによって測定される温度、高度、方位などの情報を表示する表示車である。
【０１４４】
前記第２実施形態では、制御装置１００Ａが備える記憶装置５４に、ローカルタイム受信設定データ５４６が記憶されているが、本発明はこれに限定されない。例えば、ローカルタイム受信設定データ５４６は、ＧＰＳ受信装置５８が備える記憶装置、または、ＧＰＳ受信装置５８に外付けされた記憶装置に記憶されていてもよい。この場合、ＧＰＳ受信装置５８は、取得した位置情報に基づいて領域情報を選択し、選択した領域情報に対応付けられた時差、ＤＳＴ番号、夏時間設定情報を、制御回路６０Ａに出力する。
【０１４５】
前記実施形態では、夏時間参照データ５４２には、地域情報に対応して夏時間設定情報が記憶されているが、本発明はこれに限定されない。例えば、記憶装置５４に、各地域情報に共通する夏時間設定情報（例えば＋１時間）が記憶されており、どの地域情報が選択された場合も、当該夏時間設定情報によって表示用時刻を修正する場合は、夏時間参照データ５４２に、地域情報に対応して夏時間設定情報が記憶されていなくてもよい。
【０１４６】
前記実施形態では、情報表示部および時刻表示部は、指針および文字板によって構成されているが、本発明はこれに限定されない。例えば、液晶表示装置などのデジタル表示装置によって構成されていてもよい。この場合、ローカルタイム設定データ５４１に針位置を記憶する必要はない。
【０１４７】
前記第２実施形態では、位置情報衛星の例として、ＧＰＳ衛星について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【０１４８】
前記各実施形態では、夏時間実施ルールとして、ローカルタイム設定データ５４１のＤＳＴ番号と、夏時間参照データ５４２のＤＳＴ番号、夏時間実施期間、夏時間設定情報とが含まれる構成としたが、本発明はこれに限定されない。例えば、ローカルタイム設定データ５４１に、夏時間実施期間と夏時間設定情報とを地域情報に対応付けて記憶させるようにしてもよい。この場合、地域情報に対応して夏時間実施期間、夏時間設定情報が含まれる場合、夏時間を実施する地域であることを示すと判定し、地域情報に対応して夏時間実施期間、夏時間設定情報が含まれない場合、夏時間を実施する地域ではないことを示すと判定するようにしてもよい。
【符号の説明】
【０１４９】
１，１Ａ，１Ｃ…電子時計、１１，１１Ａ…文字板、２１〜２４…指針、４０…手動操作部、４１…Ａボタン、４２…Ｂボタン、４３…りゅうず、５４…記憶装置、５８…ＧＰＳ受信装置、５９…電波受信装置、６０，６０Ａ，６０Ｂ，６０Ｃ…制御回路、６１…計時部、６２…時刻修正部、６３…表示制御部、６４…選択部、６５…判定部、６６…実施判定部、６７…測時部、６８…測位部、６９…モード設定部、１００，１００Ａ，１００Ｃ…制御装置、５３１…内部時刻データ、５３２…表示用時刻データ、５３３…時差データ、５３４…夏時間オフセットデータ、５４１…ローカルタイム設定データ、５４２…夏時間参照データ、５４６…ローカルタイム受信設定データ。
【図１】
2018151372.tif 000003
【図２】
2018151372.tif 000004
【図３】
2018151372.tif 000005
【図４】
2018151372.tif 000006
【図５】
2018151372.tif 000007
【図６】
2018151372.tif 000008
【図７】
2018151372.tif 000009
【図８】
2018151372.tif 000010
【図９】
2018151372.tif 000011
【図１０】
2018151372.tif 000012
【図１１】
2018151372.tif 000013
【図１２】
2018151372.tif 000014
【図１３】
2018151372.tif 000015
【図１４】
2018151372.tif 000016
【図１５】
2018151372.tif 000017
【図１６】
2018151372.tif 000018
【図１７】
2018151372.tif 000019
【図１８】
2018151372.tif 000020
【図１９】
2018151372.tif 000021
【図２０】
2018151372.tif 000022
【図２１】
2018151372.tif 000023
【図２２】
2018151372.tif 000024
【図２３】
2018151372.tif 000025
【図２４】
2018151372.tif 000026
【図２５】
2018151372.tif 000027
【図２６】
2018151372.tif 000028
【図２７】
2018151372.tif 000029
【図２８】
2018151372.tif 000030
【図２９】
2018151372.tif 000031
【図３０】
2018151372.tif 000032
【図３１】
2018151372.tif 000033
【図３２】
2018151372.tif 000034
【図３３】
2018151372.tif 000035
【図３４】
2018151372.tif 000036
【図３５】
2018151372.tif 000037
【図３６】
2018151372.tif 000038
【図３７】
2018151372.tif 000039